(57)【特許請求の範囲】
【請求項１】
マトリックス形態で配列される複数のピクセルと、
前記ピクセルのうち最上行の、同じ行に配列される前記ピクセルのうち奇数列のピクセルと接続される第１サブゲートラインと、
前記ピクセルのうち最下行の、同じ行に配列される前記ピクセルのうち偶数列のピクセルと接続される第２サブゲートラインと、
前記第１サブゲートラインと前記第２サブゲートラインとの間に位置する複数のゲートラインと、
前記ピクセルのうち隣接する、同じ列に配列される前記ピクセルのうち奇数行のピクセルと接続される複数の偶数データラインと、
前記ピクセルのうち隣接する、同じ列に配列される前記ピクセルのうち偶数行のピクセルと接続される複数の奇数データラインと、
を含み、
前記複数のゲートラインの各ゲートラインは、走査方向における上側に隣接する偶数列のピクセルと下側に隣接する奇数列のピクセルと接続され、
行方向の前記ピクセルは、前記複数の偶数データライン及び前記複数の奇数データラインにより同じ極性のデータ信号が奇数列のピクセルと偶数列のピクセルに一水平周期の時差を置いて印加され、列方向の前記ピクセルは、前記複数の偶数データライン及び前記複数の奇数データラインにより反対極性のデータ信号が一水平周期の時差を置いて交互に順次に印加され、フレームごとにデータ信号の極性を変更することを特徴とする、液晶表示パネル。
【請求項２】
奇数フレーム（ｏｄｄ  ｆｒａｍｅ）の間に前記奇数データラインに第１極性のデータ信号を印加し、前記偶数データラインに前記第１極性と反対の第２極性のデータ信号を印加することを特徴とする、請求項１に記載の液晶表示パネル。
【請求項３】
偶数フレーム（ｅｖｅｎ  ｆｒａｍｅ）の間に前記奇数データラインに前記第２極性のデータ信号を印加し、前記偶数データラインに前記第１極性のデータ信号を印加することを特徴とする、請求項２に記載の液晶表示パネル。
【請求項４】
前記第１極性は、共通電極に印加される共通電圧を基準にして正の極性であり、前記第２極性は前記共通電圧を基準にして負の極性であることを特徴とする、請求項３に記載の液晶表示パネル。
【請求項５】
前記第１極性は、共通電極に印加される共通電圧を基準にして負の極性であり、前記第２極性は前記共通電圧を基準にして正の極性であることを特徴とする、請求項３に記載の液晶表示パネル。
【請求項６】
電荷共有制御信号に基づいて前記奇数データラインの間に互いに電荷を共有させ、前記偶数データラインの間に互いに電荷を共有させる電荷共有制御回路をさらに含むことを特徴とする、請求項１に記載の液晶表示パネル。
【請求項７】
前記電荷共有制御回路は、
前記電荷共有制御信号に基づいて前記奇数データラインを互いに接続する複数の第１スイッチと、
前記電荷共有制御信号に基づいて前記偶数データラインを互いに接続する複数の第２スイッチと、
を含むことを特徴とする、請求項６に記載の液晶表示パネル。
【請求項８】
前記電荷共有制御信号は、プリチャージシェアリング（Ｐｒｅ  Ｃｈａｒｇｅ  Ｓｈａｒｉｎｇ；ＰＣＳ）信号に対応し、前記第１スイッチ及び前記第２スイッチは、前記第１サブゲートライン及び前記第２サブゲートラインと各前記ゲートラインとが結合されている前記ピクセルが充電される以前にターンオンされることを特徴とする、請求項７に記載の液晶表示パネル。
【請求項９】
前記電荷共有制御信号は、プリチャージシェアリング信号に対応し、前記第１スイッチ及び前駆第２スイッチは前記第１サブゲートライン及び第２サブゲートラインと各前記ゲートラインとが結合されている前記ピクセルが充電された以後にターンオンされることを特徴とする、請求項７に記載の液晶表示パネル。
【請求項１０】
各前記ピクセルは、前記第１サブゲートライン及び前記第２サブゲートラインと前記ゲートラインとから出力されるゲート信号に基づいてスイッチング動作を遂行するスイッチング素子と、
前記奇数データライン及び前記偶数データラインから出力されるデータ信号に基づいて液晶層の光透過率を調節する液晶キャパシタと、
を含むことを特徴とする、請求項１に記載の液晶表示パネル。
【請求項１１】
前記スイッチング素子は、前記ゲート信号の入力を受けるゲート電極、前記データ信号の入力を受けるソース電極、及び前記データ信号を前記液晶キャパシタから出力するドレーン電極を備える薄膜トランジスタＴＦＴであることを特徴とする、請求項１０に記載の液晶表示パネル。
【請求項１２】
前記ピクセルは、それぞれ前記液晶キャパシタの充電電圧を維持させるストレージキャパシタをさらに含むことを特徴とする、請求項１１に記載の液晶表示パネル。
【請求項１３】
マトリックス形態で配列される複数のピクセルと、
前記ピクセルのうち最上行の、同じ行に配列される前記ピクセルのうち奇数列のピクセルと接続される第１サブゲートラインと、
前記ピクセルのうち最下行の、同じ行に配列される前記ピクセルのうち偶数列のピクセルと接続される第２サブゲートラインと、
前記第１サブゲートラインと前記第２サブゲートラインとの間に位置する複数のゲートラインと、
前記ピクセルのうち隣接する、同じ列に配列される前記ピクセルのうち偶数行のピクセルと接続される複数の偶数データラインと、
前記ピクセルのうち隣接する、同じ列に配列される前記ピクセルのうち奇数行のピクセルと接続される複数の奇数データラインと、
を含み、
前記複数のゲートラインの各ゲートラインは、走査方向における上側に隣接する偶数列のピクセルと下側に隣接する奇数列のピクセルと接続され、
行方向の前記ピクセルは、前記複数の偶数データライン及び前記複数の奇数データラインにより同じ極性のデータ信号が奇数列のピクセルと偶数列のピクセルに一水平周期の時差を置いて印加され、列方向の前記ピクセルは、前記複数の偶数データライン及び前記複数の奇数データラインにより反対極性のデータ信号が一水平周期の時差を置いて交互に順次に印加され、フレームごとにデータ信号の極性を変更することを特徴とする、液晶表示パネル。
【請求項１４】
マトリックス形態で配列される複数のピクセルと、
前記ピクセルのうち最上行の、同じ行に配列される前記ピクセルのうち偶数列のピクセルと接続される第１サブゲートラインと、
前記ピクセルのうち最下行の、同じ行に配列される前記ピクセルのうち奇数列のピクセルと接続される第２サブゲートラインと、
前記第１サブゲートラインと前記第２サブゲートラインとの間に位置する複数のゲートラインと、
前記ピクセルのうち隣接する、同じ列に配列される前記ピクセルのうち奇数行のピクセルと接続される複数の偶数データラインと、
前記ピクセルのうち隣接する、同じ列に配列される前記ピクセルのうち偶数行のピクセルと接続される複数の奇数データラインと、
を含み、
前記複数のゲートラインの各ゲートラインは、走査方向における上側に隣接する奇数列のピクセルと下側に隣接する偶数列のピクセルと接続され、
行方向の前記ピクセルは、前記複数の偶数データライン及び前記複数の奇数データラインにより同じ極性のデータ信号が奇数列のピクセルと偶数列のピクセルに一水平周期の時差を置いて印加され、列方向の前記ピクセルは、前記複数の偶数データライン及び前記複数の奇数データラインにより反対極性のデータ信号が一水平周期の時差を置いて交互に順次に印加され、フレームごとにデータ信号の極性を変更することを特徴とする、液晶表示パネル。
【請求項１５】
マトリックス形態で配列される複数のピクセルと、
前記ピクセルのうち最上行の、同じ行に配列される前記ピクセルのうち偶数列のピクセルと接続される第１サブゲートラインと、
前記ピクセルのうち最下行の、同じ行に配列される前記ピクセルのうち奇数列のピクセルと接続される第２サブゲートラインと、
前記第１サブゲートラインと前記第２サブゲートラインとの間に位置する複数のゲートラインと、
前記ピクセルのうち隣接する、同じ列に配列される前記ピクセルのうち偶数行のピクセルと接続される複数の偶数データラインと、
前記ピクセルのうち隣接する、同じ列に配列される前記ピクセルのうち奇数行のピクセルと接続される複数の奇数データラインと、
を含み、
前記複数のゲートラインの各ゲートラインは、走査方向における上側に隣接する奇数列のピクセルと下側に隣接する偶数列のピクセルと接続され、
行方向の前記ピクセルは、前記複数の偶数データライン及び前記複数の奇数データラインにより同じ極性のデータ信号が奇数列のピクセルと偶数列のピクセルに一水平周期の時差を置いて印加され、列方向の前記ピクセルは、前記複数の偶数データライン及び前記複数の奇数データラインにより反対極性のデータ信号が一水平周期の時差を置いて交互に順次に印加され、フレームごとにデータ信号の極性を変更することを特徴とする、液晶表示パネル。
【請求項１６】
行方向に同じ極性のデータ信号が奇数列のピクセルと偶数列のピクセルに一水平周期の時差を置いて印加され、列方向に反対極性のデータ信号が同じ列のピクセルに一水平周期の時差を置いて交互に順次に印加される液晶表示パネルと、
データ制御信号に基づいてデータ信号を前記液晶表示パネルに印加するソースドライバと、
ゲート制御信号に基づいてスキャンパルスに対応するゲート信号を前記液晶表示パネルに印加するゲートドライバと、
前記データ制御信号及び前記ゲート制御信号を生成するタイミングコントローラと、
を含み、
前記液晶表示パネルは、
マトリックス形態で配列される複数のピクセルと、
前記ピクセルのうち最上行の、同じ行に配列される前記ピクセルのうち奇数列のピクセルと接続される第１サブゲートラインと、
前記ピクセルのうち最下行の、同じ行に配列される前記ピクセルのうち偶数列のピクセルと接続される第２サブゲートラインと、
前記第１サブゲートラインと前記第２サブゲートラインとの間に位置し、走査方向における上側に隣接する偶数列のピクセルと下側に隣接する奇数列のピクセルと接続する複数のゲートラインと、
前記ピクセルのうち隣接する、同じ列に配列される前記ピクセルのうち奇数行のピクセルと接続される複数の偶数データラインと、
前記ピクセルのうち隣接する、同じ列に配列される前記ピクセルのうち偶数行のピクセルと接続される複数の奇数データラインと、
を含み、
前記ソースドライバは、前記液晶表示パネルの行方向の前記ピクセルに同じ極性のデータ信号を奇数列のピクセルと偶数列のピクセルに一水平周期の時差を置いて印加し、列方向の前記ピクセルに反対極性のデータ信号を一水平周期の時差を置いて交互に順次に印加し、フレームごとにデータ信号の極性を変更することを特徴とする、液晶表示装置。
【請求項１７】
前記液晶表示パネルは、電荷共有制御信号に基づいて前記奇数データラインの間に互いに電荷を共有させ、前記偶数データラインの間に互いに電荷を共有させる電荷共有制御回路をさらに含むことを特徴とする、請求項１６に記載の液晶表示装置。
【請求項１８】
奇数フレーム（ｏｄｄ  ｆｒａｍｅ）の間に前記奇数データラインに第１極性のデータ信号を印加し、前記偶数データラインに前記第１極性と反対の第２極性のデータ信号を印加することを特徴とする、請求項１６に記載の液晶表示装置。
【請求項１９】
偶数フレーム（ｅｖｅｎ  ｆｒａｍｅ）の間に前記奇数データラインに前記第２極性のデータ信号を印加し、前記偶数データラインに前記第１極性のデータ信号を印加することを特徴とする請求項１８に記載の液晶表示装置。
【請求項２０】
行方向に同じ極性のデータ信号が奇数列のピクセルと偶数列のピクセルに一水平周期の時差を置いて印加され、列方向に反対極性のデータ信号が同じ列のピクセルに一水平周期の時差を置いて交互に順次に印加される液晶表示パネルと、
データ制御信号に基づいてデータ信号を前記液晶表示パネルに印加するソースドライバと、
ゲート制御信号に基づいてスキャンパルスに対応するゲート信号を前記液晶表示パネルに印加するゲートドライバと、
前記データ制御信号及び前記ゲート制御信号を生成するタイミングコントローラと、
を含み、
前記液晶表示パネルは、
マトリックス形態で配列される複数のピクセルと、
前記ピクセルのうち最上行の、同じ行に配列される前記ピクセルのうち奇数列のピクセルと接続される第１サブゲートラインと、
前記ピクセルのうち最下行の、同じ行に配列される前記ピクセルのうち偶数列のピクセルと接続される第２サブゲートラインと、
前記第１サブゲートラインと前記第２サブゲートラインとの間に位置し、走査方向における上側に隣接する偶数列のピクセルと下側に隣接する奇数列のピクセルと接続する複数のゲートラインと、
前記ピクセルのうち隣接する、同じ列に配列される前記ピクセルのうち偶数行のピクセルと接続される複数の偶数データラインと、
前記ピクセルのうち隣接する、同じ列に配列される前記ピクセルのうち奇数行のピクセルと接続される複数の奇数データラインと、
を含み、
前記ソースドライバは、前記液晶表示パネルの行方向の前記ピクセルに同じ極性のデータ信号を奇数列のピクセルと偶数列のピクセルに一水平周期の時差を置いて印加し、列方向の前記ピクセルに反対極性のデータ信号を一水平周期の時差を置いて交互に順次に印加し、フレームごとにデータ信号の極性を変更することを特徴とする、液晶表示装置。
【請求項２１】
行方向に同じ極性のデータ信号が奇数列のピクセルと偶数列のピクセルに一水平周期の時差を置いて印加され、列方向に反対極性のデータ信号が同じ列のピクセルに一水平周期の時差を置いて交互に順次に印加される液晶表示パネルと、
データ制御信号に基づいてデータ信号を前記液晶表示パネルに印加するソースドライバと、
ゲート制御信号に基づいてスキャンパルスに対応するゲート信号を前記液晶表示パネルに印加するゲートドライバと、
前記データ制御信号及び前記ゲート制御信号を生成するタイミングコントローラと、
を含み、
前記液晶表示パネルは、
マトリックス形態で配列される複数のピクセルと、
前記ピクセルのうち最上行の、同じ行に配列される前記ピクセルのうち偶数列のピクセルと接続される第１サブゲートラインと、
前記ピクセルのうち最下行の、同じ行に配列される前記ピクセルのうち奇数列のピクセルと接続される第２サブゲートラインと、
前記第１サブゲートラインと前記第２サブゲートラインとの間に位置し、走査方向における上側に隣接する奇数列のピクセルと下側に隣接する偶数列のピクセルと接続する複数のゲートラインと、
前記ピクセルのうち隣接する、同じ列に配列される前記ピクセルのうち奇数行のピクセルと接続される複数の偶数データラインと、
前記ピクセルのうち隣接する、同じ列に配列される前記ピクセルのうち偶数行のピクセルと接続される複数の奇数データラインと、
を含み、
前記ソースドライバは、前記液晶表示パネルの行方向の前記ピクセルに同じ極性のデータ信号を奇数列のピクセルと偶数列のピクセルに一水平周期の時差を置いて印加し、列方向の前記ピクセルに反対極性のデータ信号を一水平周期の時差を置いて交互に順次に印加し、フレームごとにデータ信号の極性を変更することを特徴とする、液晶表示装置。
【請求項２２】
行方向に同じ極性のデータ信号が奇数列のピクセルと偶数列のピクセルに一水平周期の時差を置いて印加され、列方向に反対極性のデータ信号が同じ列のピクセルに一水平周期の時差を置いて交互に順次に印加される液晶表示パネルと、
データ制御信号に基づいてデータ信号を前記液晶表示パネルに印加するソースドライバと、
ゲート制御信号に基づいてスキャンパルスに対応するゲート信号を前記液晶表示パネルに印加するゲートドライバと、
前記データ制御信号及び前記ゲート制御信号を生成するタイミングコントローラと、
を含み、
前記液晶表示パネルは、
マトリックス形態で配列される複数のピクセルと、
前記ピクセルのうち最上行の、同じ行に配列される前記ピクセルのうち偶数列のピクセルと接続される第１サブゲートラインと、
前記ピクセルのうち最下行の、同じ行に配列される前記ピクセルのうち奇数列のピクセルと接続される第２サブゲートラインと、
前記第１サブゲートラインと前記第２サブゲートラインとの間に位置し、走査方向における上側に隣接する奇数列のピクセルと下側に隣接する偶数列のピクセルと接続する複数のゲートラインと、
前記ピクセルのうち隣接する、同じ列に配列される前記ピクセルのうち偶数行のピクセルと接続される複数の偶数データラインと、
前記ピクセルのうち隣接する、同じ列に配列される前記ピクセルのうち奇数行のピクセルと接続される複数の奇数データラインと、
を含み、
前記ソースドライバは、前記液晶表示パネルの行方向の前記ピクセルに同じ極性のデータ信号を奇数列のピクセルと偶数列のピクセルに一水平周期の時差を置いて印加し、列方向の前記ピクセルに反対極性のデータ信号を一水平周期の時差を置いて交互に順次に印加し、フレームごとにデータ信号の極性を変更することを特徴とする、液晶表示装置。
【請求項２３】
液晶表示装置の駆動方法であって、
前記液晶表示装置は、液晶表示パネルを備え、
前記液晶表示パネルは、
マトリックス形態で配列される複数のピクセルと、
前記ピクセルのうち最上行の、同じ行に配列される前記ピクセルのうち奇数列のピクセルと接続される第１サブゲートラインと、
前記ピクセルのうち最下行の、同じ行に配列される前記ピクセルのうち偶数列のピクセルと接続される第２サブゲートラインと、
前記第１サブゲートラインと前記第２サブゲートラインとの間に位置する複数のゲートラインと、
前記ピクセルのうち隣接する、同じ列に配列される前記ピクセルのうち奇数行のピクセルと接続される複数の偶数データラインと、
前記ピクセルのうち隣接する、同じ列に配列される前記ピクセルのうち偶数行のピクセルと接続される複数の奇数データラインと、
を含み、
前記複数のゲートラインの各ゲートラインは、走査方向における上側に隣接する偶数列のピクセルと下側に隣接する奇数列のピクセルと接続され、
行方向に同じ極性のデータ信号を奇数列のピクセルと偶数列のピクセルに一水平周期の時差を置いて印加する段階と、
列方向に反対極性のデータ信号を同じ列に配列されるピクセルに一水平周期の時差を置いて交互に順次に印加する段階と、
フレームごとに液晶表示パネルに供給されるデータ信号の極性を変更する段階と、
を含むことを特徴とする、液晶表示装置の駆動方法。
【請求項２４】
液晶表示装置の駆動方法であって、
前記液晶表示装置は、液晶表示パネルを備え、
前記液晶表示パネルは、
マトリックス形態で配列される複数のピクセルと、
前記ピクセルのうち最上行の、同じ行に配列される前記ピクセルのうち奇数列のピクセルと接続される第１サブゲートラインと、
前記ピクセルのうち最下行の、同じ行に配列される前記ピクセルのうち偶数列のピクセルと接続される第２サブゲートラインと、
前記第１サブゲートラインと前記第２サブゲートラインとの間に位置する複数のゲートラインと、
前記ピクセルのうち隣接する、同じ列に配列される前記ピクセルのうち偶数行のピクセルと接続される複数の偶数データラインと、
前記ピクセルのうち隣接する、同じ列に配列される前記ピクセルのうち奇数行のピクセルと接続される複数の奇数データラインと、
を含み、
前記複数のゲートラインの各ゲートラインは、走査方向における上側に隣接する偶数列のピクセルと下側に隣接する奇数列のピクセルと接続され、
行方向に同じ極性のデータ信号を奇数列のピクセルと偶数列のピクセルに一水平周期の時差を置いて印加する段階と、
列方向に反対極性のデータ信号を同じ列に配列されるピクセルに一水平周期の時差を置いて交互に順次に印加する段階と、
フレームごとに液晶表示パネルに供給されるデータ信号の極性を変更する段階と、
を含むことを特徴とする、液晶表示装置の駆動方法。
【請求項２５】
液晶表示装置の駆動方法であって、
前記液晶表示装置は、液晶表示パネルを備え、
前記液晶表示パネルは、
マトリックス形態で配列される複数のピクセルと、
前記ピクセルのうち最上行の、同じ行に配列される前記ピクセルのうち偶数列のピクセルと接続される第１サブゲートラインと、
前記ピクセルのうち最下行の、同じ行に配列される前記ピクセルのうち奇数列のピクセルと接続される第２サブゲートラインと、
前記第１サブゲートラインと前記第２サブゲートラインとの間に位置する複数のゲートラインと、
前記ピクセルのうち隣接する、同じ列に配列される前記ピクセルのうち奇数行のピクセルと接続される複数の偶数データラインと、
前記ピクセルのうち隣接する、同じ列に配列される前記ピクセルのうち偶数行のピクセルと接続される複数の奇数データラインと、
を含み、
前記複数のゲートラインの各ゲートラインは、走査方向における上側に隣接する奇数列のピクセルと下側に隣接する偶数列のピクセルと接続され、
行方向に同じ極性のデータ信号を奇数列のピクセルと偶数列のピクセルに一水平周期の時差を置いて印加する段階と、
列方向に反対極性のデータ信号を同じ列に配列されるピクセルに一水平周期の時差を置いて交互に順次に印加する段階と、
フレームごとに液晶表示パネルに供給されるデータ信号の極性を変更する段階と、
を含むことを特徴とする、液晶表示装置の駆動方法。
【請求項２６】
液晶表示装置の駆動方法であって、
前記液晶表示装置は、液晶表示パネルを備え、
前記液晶表示パネルは、
マトリックス形態で配列される複数のピクセルと、
前記ピクセルのうち最上行の、同じ行に配列される前記ピクセルのうち偶数列のピクセルと接続される第１サブゲートラインと、
前記ピクセルのうち最下行の、同じ行に配列される前記ピクセルのうち奇数列のピクセルと接続される第２サブゲートラインと、
前記第１サブゲートラインと前記第２サブゲートラインとの間に位置する複数のゲートラインと、
前記ピクセルのうち隣接する、同じ列に配列される前記ピクセルのうち偶数行のピクセルと接続される複数の偶数データラインと、
前記ピクセルのうち隣接する、同じ列に配列される前記ピクセルのうち奇数行のピクセルと接続される複数の奇数データラインと、
を含み、
前記複数のゲートラインの各ゲートラインは、走査方向における上側に隣接する奇数列のピクセルと下側に隣接する偶数列のピクセルと接続され、
行方向に同じ極性のデータ信号を奇数列のピクセルと偶数列のピクセルに一水平周期の時差を置いて印加する段階と、
列方向に反対極性のデータ信号を同じ列に配列されるピクセルに一水平周期の時差を置いて交互に順次に印加する段階と、
フレームごとに液晶表示パネルに供給されるデータ信号の極性を変更する段階と、
を含むことを特徴とする、液晶表示装置の駆動方法。
【発明の詳細な説明】
【技術分野】
【０００１】
本発明は表示装置に関し、より詳しくは液晶表示パネル、液晶表示装置、及び液晶表示装置の駆動方法に関する。
【背景技術】
【０００２】
液晶表示装置は、それぞれのピクセルに対して液晶キャパシタのピクセル電極と共通電極とに電界（即ち、電位差）を形成することによって、ピクセル電極と共通電極との間に位置する液晶層の光透過率を調節する方式で画像を表示する。最近では、ピクセル内部のスイッチング素子として薄膜トランジスタ（Ｔｈｉｎ  Ｆｉｌｍ  Ｔｒａｎｓｉｓｔｏｒ；ＴＦＴ）を使う薄膜トランジスタ（ＴＦＴ）液晶表示装置が広く利用されている。
【先行技術文献】
【特許文献】
【０００３】
【特許文献１】韓国特許出願公開２００５-０００１２４９号明細書
【特許文献２】特開２００３−３１５７６６号公報
【特許文献３】米国特許出願公開２００５／００４６６２０号明細書
【特許文献４】韓国特許出願公開２００５−０００３６３１号公報
【発明の概要】
【発明が解決しようとする課題】
【０００４】
一般的に、液晶表示装置はピクセル内部の液晶キャパシタの劣化を防止するためにデータ信号の極性を一定周期ごとに反転させるが、ドット（ｄｏｔ）インバージョン方式、ライン（ｌｉｎｅ）インバージョン方式、コラム（ｃｏｌｕｍｎ）インバージョン方式、フレーム（ｆｒａｍｅ）インバージョン方式、Ｚインバージョン方式、アクティブレベルシフト（Ａｃｔｉｖｅ  Ｌｅｖｅｌ  Ｓｈｉｆｔ；ＡＬＳ）インバージョン方式などのような従来の方法を採用している。しかし、従来の方法は水平クロストーク、垂直クロストーク、不必要な電力消耗などのような様々な問題点を発生させている。
【０００５】
そこで、本発明は、上記問題に鑑みてなされたものであり、本発明の目的とするところは、水平クロストーク（ｈｏｒｉｚｏｎｔａｌ  ｃｒｏｓｓｔａｌｋ）及び垂直クロストーク（ｖｅｒｔｉｃａｌ  ｃｒｏｓｓｔａｌｋ）を防止しながらも消費電力を効率的に減少させることのできる、新規かつ改良された液晶表示パネルを提供することである。
【０００６】
本発明の他の目的は、前記液晶表示パネルを含んで低電力で高品質の画像を出力できる、新規かつ改良された液晶表示装置を提供することにある。
【０００７】
本発明のさらに他の目的は、液晶表示パネル内に水平クロストーク及び垂直クロストークを防止しながらも消費電力を効率的に減少させることのできる、新規かつ改良された液晶表示装置の駆動方法を提供することにある。
【課題を解決するための手段】
【０００８】
上記課題を解決するために、本発明のある観点によれば、マトリックス形態で配列される複数のピクセルと、前記ピクセルのうち第１行−ピクセルと接続される第１サブゲートラインと、前記ピクセルのうち第２行−ピクセルと接続される第２サブゲートラインと、前記第１サブゲートラインと前記第２サブゲートラインとの間に位置し、各々上側に隣接する前記第２行−ピクセルと下側に隣接する前記第１行−ピクセルと接続する複数のゲートラインと、前記ピクセルのうち隣接する第１列−ピクセルと接続される複数の偶数データラインと、前記ピクセルのうち隣接する第２列−ピクセルと接続される複数の奇数データラインと、を含むことを特徴とする、液晶表示パネルが提供される。
【０００９】
前記第１行−ピクセルは、同じ行に配列される前記ピクセルのうち奇数列のピクセルに対応し、前記第２行−ピクセルは同じ行に配列される前記ピクセルのうち偶数列のピクセルに対応してもよい。
【００１０】
この場合、前記第１列−ピクセルは、同じ列に配列される前記ピクセルのうち奇数行のピクセルに対応し、前記第２列−ピクセルは同じ列に配列される前記ピクセルのうち偶数行のピクセルに対応してもよい。
【００１１】
またこの場合、前記第１列−ピクセルは、同じ列に配列される前記ピクセルのうち偶数行のピクセルに対応し、前記第２列−ピクセルは同じ列に配列される前記ピクセルのうち奇数行のピクセルに対応してもよい。
【００１２】
前記第１行−ピクセルは、同じ行に配列される前記ピクセルのうち偶数列のピクセルに対応し、前記第２行−ピクセルは同じ行に配列される前記ピクセルのうち奇数列のピクセルに対応してもよい。
【００１３】
この場合、前記第１列−ピクセルは、同じ列に配列される前記ピクセルのうち奇数行のピクセルに対応し、前記第２列−ピクセルは同じ列に配列される前記ピクセルのうち偶数行のピクセルに対応してもよい。
【００１４】
またこの場合、前記第１列−ピクセルは、同じ列に配列される前記ピクセルのうち偶数行のピクセルに対応し、前記第２列−ピクセルは同じ列に配列される前記ピクセルのうち奇数行のピクセルに対応してもよい。
【００１５】
奇数フレーム（ｏｄｄ  ｆｒａｍｅ）の間に前記奇数データラインに第１極性のデータ信号を印加し、前記偶数データラインに前記第１極性と反対の第２極性のデータ信号を印加してもよい。
【００１６】
偶数フレーム（ｅｖｅｎ  ｆｒａｍｅ）の間に前記奇数データラインに前記第２極性のデータ信号を印加し、前記偶数データラインに前記第１極性のデータ信号を印加してもよい。
【００１７】
前記第１極性は、共通電極に印加される共通電圧を基準にして正の極性であり、前記第２極性は前記共通電圧を基準にして負の極性であってもよい。
【００１８】
前記第１極性は、共通電極に印加される共通電圧を基準にして負の極性であり、前記第２極性は前記共通電圧を基準にして正の極性であってもよい。
【００１９】
電荷共有制御信号に基づいて前記奇数データラインの間に互いに電荷を共有させ、前記偶数データラインの間に互いに電荷を共有させる電荷共有制御回路をさらに含んでいてもよい、
【００２０】
前記電荷共有制御回路は、前記電荷共有制御信号に基づいて前記奇数データラインを互いに接続する複数の第１スイッチと、前記電荷共有制御信号に基づいて前記偶数データラインを互いに接続する複数の第２スイッチと、を含んでいてもよい。
【００２１】
前記電荷共有制御信号は、プリチャージシェアリング（Ｐｒｅ  Ｃｈａｒｇｅ  Ｓｈａｒｉｎｇ；ＰＣＳ）信号に対応し、前記第１スイッチ及び前記第２スイッチは、前記第１サブゲートライン及び前記第２サブゲートラインと各前記ゲートラインとが結合されている前記ピクセルが充電される以前にターンオンされていてもよい。
【００２２】
前記電荷共有制御信号は、プリチャージシェアリング信号に対応し、前記第１スイッチ及び前駆第２スイッチは前記第１サブゲートライン及び第２サブゲートラインと各前記ゲートラインとが結合されている前記ピクセルが充電された以後にターンオンされていてもよい。
【００２３】
各前記ピクセルは、前記第１サブゲートライン及び前記第２サブゲートラインと前記ゲートラインとから出力されるゲート信号に基づいてスイッチング動作を遂行するスイッチング素子と、前記奇数データライン及び前記偶数データラインから出力されるデータ信号に基づいて液晶層の光透過率を調節する液晶キャパシタと、を含んでいてもよい。
【００２４】
前記スイッチング素子は、前記ゲート信号の入力を受けるゲート電極、前記データ信号の入力を受けるソース電極、及び前記データ信号を前記液晶キャパシタから出力するドレーン電極を備える薄膜トランジスタＴＦＴであってもよい。
【００２５】
前記ピクセルは、それぞれ前記液晶キャパシタの充電電圧を維持させるストレージキャパシタをさらに含んでいてもよい。
【００２６】
また、上記課題を解決するために、本発明の別の観点によれば、行方向に同じ極性のデータ信号が奇数列のピクセルと偶数列のピクセルに一水平周期の時差を置いて印加され、列方向に反対極性のデータ信号が同じ列のピクセルに一水平周期の時差を置いて順次に印加される液晶表示パネルと、データ制御信号に基づいてデータ信号を前記液晶表示パネルに印加するソースドライバと、ゲート制御信号に基づいてスキャンパルスに対応するゲート信号を前記液晶表示パネルに印加するゲートドライバと、前記データ制御信号及び前記ゲート制御信号を生成するタイミングコントローラと、を含むことを特徴とする、液晶表示装置が提供される。
【００２７】
前記液晶表示パネルは、マトリックス形態で配列される複数のピクセルと、前記ピクセルのうち下側に隣接する第１行−ピクセルと接続される第１サブゲートラインと、前記ピクセルのうち上側に隣接する第２行−ピクセルと接続される第２サブゲートラインと、前記第１サブゲートラインと前記第２サブゲートラインとの間に位置し、各々上側に隣接する前記第２行−ピクセルと下側に隣接する前記第１行−ピクセルと接続する複数のゲートラインと、前記ピクセルのうち隣接する第１列−ピクセルと接続される複数の偶数データラインと、前記ピクセルのうち隣接する第２列−ピクセルと接続される複数の奇数データラインと、を含んでいてもよい、
【００２８】
前記液晶表示パネルは、電荷共有制御信号に基づいて前記奇数データラインの間に互いに電荷を共有させ、前記偶数データラインの間に互いに電荷を共有させる電荷共有制御回路をさらに含んでいてもよい。
【００２９】
前記第１行−ピクセルは同じ行に配列される前記奇数列のピクセルに対応し、前記第２行−ピクセルは同じ行に配列される前記偶数列のピクセルに対応してもよい。
【００３０】
この場合、前記第１列−ピクセルは同じ列に配列される前記奇数行のピクセルに対応し、前記第２列−ピクセルは同じ列に配列される前記偶数行のピクセルに対応してもよい。
【００３１】
またこの場合、前記第１列−ピクセルは同じ列に配列される前記偶数行のピクセルに対応し、前記第２列−ピクセルは同じ列に配列される前記奇数行のピクセルに対応してもよい。
【００３２】
前記第１行−ピクセルは同じ行に配列される前記偶数列のピクセルに対応し、前記第２行−ピクセルは同じ行に配列される前記奇数列のピクセルに対応してもよい。
【００３３】
この場合、前記第１列−ピクセルは同じ列に配列される前記奇数行のピクセルに対応し、前記第２列−ピクセルは同じ列に配列される前記偶数行のピクセルに対応してもよい。
【００３４】
またこの場合、前記第１列−ピクセルは同じ列に配列される前記偶数行のピクセルに対応し、前記第２列−ピクセルは同じ列に配列される前記奇数行のピクセルに対応してもよい。
【００３５】
奇数フレーム（ｏｄｄ  ｆｒａｍｅ）の間に前記奇数データラインに第１極性のデータ信号を印加し、前記偶数データラインに前記第１極性と反対の第２極性のデータ信号を印加してもよい。
【００３６】
偶数フレーム（ｅｖｅｎ  ｆｒａｍｅ）の間に前記奇数データラインに前記第２極性のデータ信号を印加し、前記偶数データラインに前記第１極性のデータ信号を印加してもよい。
【００３７】
また、上記課題を解決するために、本発明の別の観点によれば、行方向に同じ極性のデータ信号を奇数列のピクセルと偶数列のピクセルに一水平周期の時差を置いて印加する段階と、列方向に反対極性のデータ信号を同じ列に配列されるピクセルに一水平周期の時差を置いて順次に印加する段階と、フレームごとに液晶表示パネルに供給されるデータ信号の極性を変更する段階と、を含むことを特徴とする、液晶表示装置の駆動方法が提供される。
【発明の効果】
【００３８】
以上説明したように本発明によれば、一フレームの間に同じ極性のデータ信号をデータラインごとに反転して供給することによって消費電力を減少させることができ、同じ極性のデータ信号を一つの行（ｒｏｗ）を構成する奇数列のピクセルと偶数列のピクセルとに一水平周期の時差を置いて印加することによって水平クロストークを防止することができ、反対極性のデータ信号を一つの列（ｃｏｌｕｍｎ）を構成するピクセルに一水平周期の時差を置いて順次に印加することによって垂直クロストークを防止する、液晶表示パネルを提供することができる。
【００３９】
また本発明によれば、前記液晶表示パネルを含んで低電力で高品質の画像を出力することができる液晶表示装置を提供することができる。
【００４０】
また本発明によれば、液晶表示パネル内に水平クロストーク及び垂直クロストークを防止しながらも消費電力を効率的に減少させることができる液晶表示装置の駆動方法を提供することができる。
【図面の簡単な説明】
【００４１】
【図１】本発明の一実施形態に係る液晶表示パネルを示す図面である。
【図２】図１の液晶表示パネルに配列されたピクセルの構造を示す図面である。
【図３】図１の液晶表示パネルに供給されるデータ信号の極性による共通電圧を示すタイミングチャートである。
【図４】奇数フレームの間に図１の液晶表示パネルに供給されるデータ信号の極性を示す図面である。
【図５】図１の液晶表示パネルで奇数フレームの間にピクセルにデータ信号が印加される過程を示す図面である。
【図６】図１の液晶表示パネルで奇数フレームの間にピクセルにデータ信号が印加される過程を示す図面である。
【図７】図１の液晶表示パネルで奇数フレームの間にピクセルにデータ信号が印加される過程を示す図面である。
【図８】図１の液晶表示パネルで奇数フレームの間にピクセルにデータ信号が印加される過程を示す図面である。
【図９】図１の液晶表示パネルで奇数フレームの間にピクセルにデータ信号が印加される過程を示す図面である。
【図１０】偶数フレームの間に図１の液晶表示パネルに供給されるデータ信号の極性を示す図面である。
【図１１】図１の液晶表示パネルで偶数フレームの間にピクセルにデータ信号が印加される過程を示す図面である。
【図１２】図１の液晶表示パネルで偶数フレームの間にピクセルにデータ信号が印加される過程を示す図面である。
【図１３】図１の液晶表示パネルで偶数フレームの間にピクセルにデータ信号が印加される過程を示す図面である。
【図１４】図１の液晶表示パネルで偶数フレームの間にピクセルにデータ信号が印加される過程を示す図面である。
【図１５】図１の液晶表示パネルで偶数フレームの間にピクセルにデータ信号が印加される過程を示す図面である。
【図１６】本発明の他の実施形態に係る液晶表示パネルを示す図面である。
【図１７】本発明の実施形態に係る液晶表示パネルを具備する液晶表示装置を示すブロック図である。
【図１８】図１７の液晶表示装置を駆動する方法を示すフローチャートである。
【図１９】図１７の液晶表示装置を含む電子機器を示すブロック図である。
【発明を実施するための形態】
【００４２】
本発明は多様な変更を加えることができ、種々の形態を有することができるが、特定の実施形態を図面に例示して本明細書に詳細に説明する。しかし、これは本発明を特定の開示形態に限定しようとするものではなく、本発明の思想及び技術範囲に含まれるすべての変更、均等物ないし代替物を含むと理解するべきである。
【００４３】
本明細書において、第１、第２等の用語は多様な構成要素を説明するのに使用することができるが、これらの構成要素がこのような用語によって限定されてはならない。前記用語は一つの構成要素を他の構成要素から区別する目的で使われる。例えば、本発明の権利範囲から逸脱せずに第１構成要素は第２構成要素と命名することができ、類似に第２構成要素も第１構成要素と命名することができる。
【００４４】
ある構成要素が他の構成要素に「連結されて」いる、または「接続されて」いると言及された場合には、その他の構成要素に直接的に連結されていたり、接続されていたりすることも意味するが、中間に他の構成要素が存在する場合も含むと理解するべきである。一方、ある構成要素が他の構成要素に「直接連結されて」いる、または「直接接続されて」いると言及された場合には、中間に他の構成要素が存在しないと理解すべきである。構成要素の間の関係を説明する他の表現、すなわち「〜間に」と「すぐに〜間に」または「〜に隣接する」と「〜に直接隣接する」等も同じように解釈すべきである。本明細書で使用した用語は単に特定の実施形態を説明するために使用したもので、本発明を限定するものではない。単数の表現は文脈上明白に異なるように意味しない限り、複数の表現を含む。本明細書で、「含む」または「有する」等の用語は明細書上に記載された特徴、数字、段階、動作、構成要素、部品または、これを組み合わせたのが存在するということを示すものであって、一つまたはそれ以上の他の特徴や数字、段階、動作、構成要素、部品または、これを組み合わせたものなどの存在または、付加の可能性を、予め排除するわけではない。
【００４５】
また、別に定義しない限り、技術的或いは科学的用語を含み、本明細書中において使用される全ての用語は本発明が属する技術分野で通常の知識を有する者であれば、一般的に理解するのと同一の意味を有する。一般的に使用される辞書において定義する用語と同じ用語は関連技術の文脈上に有する意味と一致する意味を有するものと理解するべきで、本明細書において明白に定義しない限り、理想的或いは形式的な意味として解釈してはならない。
【００４６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００４７】
図１は本発明の一実施形態に係る液晶表示パネルを示す図面である。
【００４８】
図１を参照すれば、液晶表示パネル１００は、複数のピクセル１１０、第１サブゲートライン１２０＿１、第２サブゲートライン１２０＿２、ゲートライン１３０＿１、……、１３０＿ｋ、奇数データライン１４０＿１、……、１４０＿５、及び偶数データライン１５０＿１、……、１５０＿５を含むことができる。例示的な実施形態によると、液晶表示パネル１００は、電荷共有制御回路１６０を追加的に含むことができる。
【００４９】
一般的に、液晶表示装置は、それぞれのピクセルに対して液晶キャパシタの画素電極と共通電極とに電界（即ち、電位差）を形成することによって画素電極と共通電極との間に位置する液晶層の光透過率を調節する方式で画像を表示することができる。その時、液晶キャパシタの液晶層に一方向に電界が長時間印加される場合に液晶キャパシタが劣化される場合がある。これを考慮して、液晶表示装置は、液晶キャパシタの劣化を防止するためにデータ信号の極性を一定周期ごとに反転させている。例えば、液晶表示装置は所定行（ｒｏｗ）と所定列（ｃｏｌｕｍｎ）ごとにデータ信号の極性を反転させるドットインバージョン方式、ゲートラインごとにデータ信号の極性を反転させるラインインバージョン方式、データラインごとにデータ信号の極性を反転させるコラムインバージョン方式、フレーム（ｆｒａｍｅ）ごとにデータ信号の極性を反転させるフレームインバージョン方式、ピクセルをデータライン方向にジグザグに配列し、コラムインバージョン方式でデータ信号を供給することによってドットインバージョン方式を実現するＺインバージョン方式、ラインインバージョン方式で共通電極に印加される電圧の変位幅を減少させたＡＬＳインバージョン方式などを採用している。
【００５０】
しかし、ドットインバージョン方式は、垂直クロストークや水平クロストークを防止して画質を向上させることができる反面、所定行と所定列ごとにデータ信号の極性を反転させなければならないため、データ信号の変位周波数（即ち、データ信号の変動量）が大きくて消費電力が大きいという短所がある。ラインインバージョン方式は、ドットインバージョン方式に比べてデータ信号の変位幅を小さくして消費電力を減少させることができるが、ゲートラインごとにデータ信号の極性が反転するため水平クロストークが発生するという短所がある。Ｚインバージョン方式はドットインバージョン方式に比べてデータ信号の変位周波数を小さくして消費電力を減少させることができるが、データラインごとにデータ信号の極性が反転するため垂直クロストークが発生するという短所がある。フレームインバージョン方式は、フレームごとにデータ信号の極性が反転するためフレームが変更される時、フリッカー（ｆｌｉｃｋｅｒ）が発生するという短所がある。Ｚインバージョン方式は、ドットインバージョン方式に比べて消費電力を減少させることができるが、特定データ信号のパターンで縦縞現象が発生するという短所がある。ＡＬＳインバージョン方式は、ラインインバージョン方式に比べて共通電極に印加される電圧の変位幅を減少させて消費電力を減少させることができるが、ラインインバージョン方式と同様に水平クロストークが発生するという短所がある。
【００５１】
本発明の実施形態において、液晶表示パネル１００には、ピクセル１１０が第１サブゲートライン１２０＿１、第２サブゲートライン１２０＿２及びゲートライン１３０＿１、……、１３０＿ｋ、並びに奇数データライン１４０＿１、……、１４０＿５及び偶数データライン１５０＿１、……、１５０＿５が交差する位置にマトリックス（ｍａｔｒｉｘ）形態で配列されることができる。ピクセル１１０は、内部のスイッチング素子（即ち、薄膜トランジスタ）のゲート（ｇａｔｅ）電極を通じて第１サブゲートライン１２０＿１、第２サブゲートライン１２０＿２及びゲートライン１３０＿１、……、１３０＿ｋに連結されることができ、前記薄膜トランジスタのソース（ｓｏｕｒｃｅ）電極を通じて奇数データライン１４０＿１、……、１４０＿５及び偶数データライン１５０＿１、……、１５０＿５に連結されることができる。例えば、ピクセル１１０は前記薄膜トランジスタのゲート電極を通じて第１サブゲートライン１２０＿１、第２サブゲートライン１２０＿２及びゲートライン１３０＿１、……、１３０＿ｋから出力されるゲート信号（即ち、スキャンパルス）の入力を受けることができる。また、ピクセル１１０は前記薄膜トランジスタのソース電極を通じて奇数データライン１４０＿１、……、１４０＿５及び偶数データライン１５０＿１、……、１５０＿５から出力されるデータ信号の入力を受けることができる。例示的な実施形態において、ピクセル１１０は各々薄膜トランジスタ、液晶キャパシタ（ｌｉｑｕｉｄ  ｃｒｙｓｔａｌ  ｃａｐａｃｉｔｏｒ）及びストレージキャパシタ（ｓｔｏｒａｇｅ  ｃａｐａｃｉｔｏｒ）を含むことができる。この場合、前記液晶キャパシタはデータ信号の印加を受けるためのピクセル電極、共通電圧の印加を受けるための共通電極及びこれらの間に位置する誘電率異方性（ｄｉｅｌｅｃｔｒｉｃ  ａｎｉｓｏｔｒｏｐｙ）を有する液晶層を含むことができる。
【００５２】
液晶表示パネル１００において、第１サブゲートライン１２０＿１及び第２サブゲートライン１２０＿２が、ゲートライン１３０＿１、……、１３０＿ｋの外郭に位置することができる。一実施形態において、第１サブゲートライン１２０＿１はその下側に位置する第１行−ピクセルと連結されることができ、第２サブゲートライン１２０＿２はその上側に位置する第２行−ピクセルと連結されることができる。ゲートライン１３０＿１、……、１３０＿ｋは第１サブゲートライン１２０＿１と第２サブゲートライン１２０＿２との間に位置することができる。一実施形態において、ゲートライン１３０＿１、……、１３０＿ｋは各々上側の第２行−ピクセルと下側の第１行−ピクセルと交互にジグザグ（ｚｉｇｚａｇ）形態で連結されることができる。ここで、「行−ピクセル」は一つの行を構成するピクセルを意味する。例えば、「第１行−ピクセル」は一つの行に配列されるピクセル１１０のうち奇数列のピクセルに対応し、「第２行−ピクセル」は一つの行に配列されるピクセル１１０のうち偶数列のピクセルに対応することができる。即ち、第１サブゲートライン１２０＿１は上部の最外郭に位置するピクセル１１０のうち奇数列のピクセルに連結されることができ、第２サブゲートライン１２０＿２は下部の最外郭に位置するピクセル１１０のうち偶数列のピクセルに連結されることができる。ゲートライン１３０＿１、……、１３０＿ｋは、各々上側の行−ピクセルのうち偶数列のピクセルと連結されることができ、下側の行−ピクセルのうち奇数列のピクセルと連結されることができる。
【００５３】
また、液晶表示パネル１００では、奇数データライン１４０＿１、……、１４０＿５に連結されるピクセル１１０と偶数データライン１５０＿１、……、１５０＿５に連結されるピクセル１１０とを互いに相異させることができる。例えば、奇数データライン１４０＿１、……、１４０＿５は、第２列−ピクセルと連結されることができ、偶数データライン１５０＿１、……、１５０＿５は第１列−ピクセルと連結されることができる。例示的な実施形態において、第１列−ピクセルは、一つの列に配列されるピクセル１１０のうち偶数行のピクセルに対応し、第２列−ピクセルは一つの列に配列されるピクセル１１０のうち奇数行のピクセルに対応することができる。他の実施形態によると、第１列−ピクセルは一つの列に配列されるピクセル１１０のうち奇数行のピクセルに対応し、第２列−ピクセルは一つの列に配列されるピクセル１１０のうち奇数行のピクセルに対応することができる。ただし、図１では奇数データライン１４０＿１、……、１４０＿５が一つの列に配列されるピクセル１１０のうち奇数行のピクセルに連結され、偶数データライン１５０＿１、……、１５０＿５が一つの列に配列されるピクセル１１０のうち奇数行のピクセルに連結される実施形態が図示されている。
【００５４】
上述のように、液晶表示パネル１００はピクセル１１０が薄膜トランジスタのゲート電極を通じて第１サブゲートライン１２０＿１、第２サブゲートライン１２０＿２及びゲートライン１３０＿１、……、１３０＿ｋに連結され、薄膜トランジスタのソース電極を通じて奇数データライン１４０＿１、……、１４０＿５及び偶数データライン１５０＿１、……、１５０＿５に連結されることにおいて、一つのフレームの間に奇数データライン１４０＿１、……、１４０＿５に第１極性のデータ信号が供給され、偶数データライン１５０＿１、……、１５０＿５に前記第１極性と反対の第２極性のデータ信号が供給される場合に、一つの行に配列される隣接するピクセル（即ち、隣接する行−ピクセル）に同じ極性のデータ信号が一水平周期の時差を置いて印加され、一つの列に配列される隣接してピクセル（即ち、隣接する列−ピクセル）に反対極性のデータ信号が印加されるようにする特異な構造を有することができる。この時、液晶表示パネル１００は前記特異な構造に基づいて動作することにおいて、実質的にコラムインバージョン方式と類似の方式でデータ信号を供給することができる。例えば、液晶表示パネル１００は奇数フレームの間、奇数データライン１４０＿１、……、１４０＿５に第１極性のデータ信号を供給することができ、偶数データライン１５０＿１、……、１５０＿５に第２極性のデータ信号を供給する反面、偶数フレームの間には、奇数データライン１４０＿１、……、１４０＿５に第２極性のデータ信号を供給することができ、偶数データライン１５０＿１、……、１５０＿５に第１極性のデータ信号を供給することができる。
【００５５】
また、液晶表示パネル１００は奇数データライン１４０＿１、……、１４０＿５の間に互いに電荷（ｃｈａｒｇｅ）を共有させ、偶数データライン１５０＿１、……、１５０＿５の間に互いに電荷を共有させる電荷共有制御回路１６０をさらに含むことができる。例示的な実施形態において、電荷共有制御回路１６０は電荷共有制御信号ＣＳＣに基づいて奇数データライン１４０＿１、……、１４０＿５を互いに結びつける第１スイッチＯＳＴ及び電荷共有制御信号ＣＳＣに基づいて偶数データライン１５０＿１、……、１５０＿５を互いに結びつける第２スイッチＥＳＴを含むことができる。この時、電荷共有制御信号ＣＳＣはプリチャージシェアリング（Ｐｒｅ−Ｃｈａｒｇｅ  Ｓｈａｒｉｎｇ；ＰＣＳ）信号であることができる。例示的な実施形態によると、第１スイッチＯＳＴ及び第２スイッチＥＳＴは第１サブゲートライン１２０＿１、第２サブゲートライン１２０＿２及びゲートライン１３０＿１、……、１３０＿ｋ別にピクセル１１０が充電される以前にターンオンされたり、または、前記ピクセル１１０が充電された以後にターンオンされたりすることによって、奇数データライン１４０＿１、……、１４０＿５の間に互いに電荷が共有され、偶数データライン１５０＿１、……、１５０＿５の間に互いに電荷が共有されるようにすることができる。例えば、第１スイッチＯＳＴ及び第２スイッチＥＳＴがＮ型モス（ＮＭＯＳ）トランジスタの場合、電荷共有制御信号ＣＳＣが論理「ハイ」電圧レベルを有すると、第１スイッチＯＳＴ及び第２スイッチＥＳＴがターンオンされて、奇数データライン１４０＿１、……、１４０＿５同士を互いに連結し、偶数データライン１５０＿１、……、１５０＿５同士を互いに連結することができる。反面、第１スイッチＯＳＴ及び第２スイッチＥＳＴがＰ型モス（ＰＭＯＳ）トランジスタの場合、電荷共有制御信号ＣＳＣが論理「ロー」電圧レベルを有すると、第１スイッチＯＳＴ及び第２スイッチＥＳＴがターンオンされて、奇数データライン１４０＿１、……、１４０＿５同士を互いに連結し、偶数データライン１５０＿１、……、１５０＿５同士を互いに連結することができる。これと共に、液晶表示パネル１００は電荷共有制御回路１６０を含むことによって変化が激しいパターン（ｐａｔｔｅｒｎ）に対しても消費電力を減少させることができ、ピクセル１１０の充電特性を向上させて全般的な性能を向上させることができる。上述したことによると、電荷共有制御回路１６０が液晶表示パネル１００に備わることと説明したが、電荷共有制御回路１６０は要求される条件により集積回路（ｉｎｔｅｇｒａｔｅｄ  ｃｉｒｃｕｉｔ；ＩＣ）の内部に実装することもできる。
【００５６】
上述のように、液晶表示装置がピクセル１１０内部の液晶キャパシタの劣化を防止するためにデータ信号の極性を一定周期ごとに反転させるということにおいて、液晶表示パネル１００は前記特異な構造に基づいて一フレームの間に同じ極性のデータ信号をデータラインごとに反転して供給することによって消費電力を効率的に減少させることができ、同じ極性のデータ信号を一つの行を構成する奇数列のピクセルと偶数列のピクセルに一水平周期の時差を置いて印加することによって水平クロストークを防止することができ、また、反対極性のデータ信号を一つの列を構成するピクセル１００に一水平周期の時差を置いて順次に印加することによって垂直クロストークを防止することができる。一方、液晶表示パネル１００上にカラーを実現するために、それぞれのピクセル１１０はレッド（ｒｅｄ）、グリーン（ｇｒｅｅｎ）、及びブルー（ｂｌｕｅ）のうち一つ、または、イエロー（ｙｅｌｌｏｗ）、シアン（ｃｙａｎ）、及びマゼンタ（ｍａｇｅｎｔａ）のうち一つを固有に表示（即ち、空間分割）したり、レッド（ｒｅｄ）、グリーン（ｇｒｅｅｎ）及びブルー（ｂｌｕｅ）、または、イエロー（ｙｅｌｌｏｗ）、シアン（ｃｙａｎ）及びマゼンタ（ｍａｇｅｎｔａ）を時間に従って交互に表示（即ち、時間分割）したりすることができる。この時、液晶表示パネル１００はレッド（ｒｅｄ）、グリーン（ｇｒｅｅｎ）及びブルー（ｂｌｕｅ）、または、イエロー（ｙｅｌｌｏｗ）、シアン（ｃｙａｎ）及びマゼンタ（ｍａｇｅｎｔａ）の空間的または、時間的和で画像を表示することができる。そのために、図１には図示はしていないが、液晶表示パネル１００がそれぞれのピクセル１１０に対応する位置にレッドフィルタ、グリーンフィルタ及びブルーフィルタ、または、イエローフィルタ、シアンフィルタ及びマゼンタフィルタを備えることができる。
【００５７】
図２は図１の液晶表示パネルに配列されたピクセルの構造を示す図面である。
【００５８】
図２を参照すれば、ピクセル１１０はそれぞれスイッチング素子Ｑ、液晶キャパシタＣＬＣ及びストレージキャパシタＣＳＴを含むことができる。例示的な実施形態によると、スイッチング素子Ｑはアモルファスシリコン（ａｍｏｒｐｈｏｕｓ  ｓｉｌｉｃｏｎ）からなった薄膜トランジスタＴＦＴであることができる。
【００５９】
スイッチング素子Ｑは下部表示基板に備わることができる。前記薄膜トランジスタＴＦＴはゲートラインＧＬから供給されるゲート信号に応じてデータラインＤＬから供給されるデータ信号を液晶キャパシタＣＬＣに供給することができる。そのために、スイッチング素子Ｑはゲート電極を通じてゲートラインＧＬに連結されることができ、ソース電極を通じてデータラインＤＬに連結されることができ、ドレーン電極を通じて液晶キャパシタＣＬＣに連結されることができる。液晶キャパシタＣＬＣはピクセル電極ＤＥに印加されるデータ信号と共通電極ＣＥとに印加される共通電圧の電位差で充電され、このような充電電圧に基づいて液晶層の光透過率を調節することができる。例えば、ノーマリーブラック（ｎｏｒｍａｌｌｙ  ｂｌａｃｋ）モードの場合、データ信号と共通電圧の電位差即ち、充電電圧が大きいほど液晶層の光透過率が増加でき、データ信号と共通電圧の電位差即ち、充電電圧が小さいほど液晶層の光透過率は減少することができる。このために、液晶キャパシタＣＬＣは下部表示基板に備わったピクセル電極ＤＥと上部表示板に備わった共通電極ＣＥを含むことができ、ピクセル電極ＤＥと共通電極ＣＥの間に液晶層を含むことができる。例示的な実施形態によると、液晶キャパシタＣＬＣの共通電極ＣＥが下部表示板に備わることもできる。例えば、ピクセル電極ＤＥは、スイッチング素子Ｑのドレーン電極に連結されてソース電極に連結されたデータラインＤＬからデータ信号の印加を受けることができ、共通電極ＣＥは、下部表示板に備わった信号ライン（図示せず）から共通電圧の印加を受けることができる。例示的な実施形態において、液晶表示パネル１００にデータ信号と共通電圧が印加されることにおいて、正の極性を有するデータ信号が印加される時、低い共通電圧が印加され、負の極性を有するデータ信号が印加される時、高い共通電圧が印加されることができる。このような場合、液晶キャパシタＣＬＣには実質的に印加されるデータ信号より高い充電電圧が誘導されることができて相対的に消費電力が減少することができる。ストレージキャパシタＣＳＴは液晶キャパシタＣＬＣの充電電圧を維持させることができる。即ち、ストレージキャパシタＣＳＴは、液晶キャパシタＣＬＣの補助的な役割を遂行し、下部表示板に備わった信号ライン（図示せず）とピクセル電極ＤＥとが絶縁体を間に置いて重なることによって形成されることができる。ただし、ピクセル１１０は要求される条件によりストレージキャパシタＣＳＴを含まないことができる。図２には図示していないが、上部表示基板にはカラーフィルタが配置されることができ、前記上部表示基板及び／または前記下部表示基板には偏光版が付着することができる。
【００６０】
図３は図１の液晶表示パネル１００に供給されるデータ信号の極性による共通電圧を示すタイミング図である。
【００６１】
図３を参照すれば、第１フレーム１Ｆと前記第１フレーム１Ｆに続く第２フレーム２Ｆは各々複数の水平周期１Ｈ、……、８Ｈからなることができる。この時、第１フレーム１Ｆは、奇数フレームに対応でき、第２フレーム２Ｆは偶数フレームに対応することができる。一方、液晶表示パネル１００の画像表示は、フレーム単位からなるので、液晶表示パネル１００の画像表示が完了する時まで第１フレーム１Ｆと前記第１フレーム１Ｆに続く第２フレーム２Ｆとは継続的に反復することができる。
【００６２】
第１フレーム１Ｆは複数の水平周期１Ｈ、……、８Ｈからなり、各水平周期１Ｈ、……、８Ｈごとにゲートライン１２０＿１、１３０＿１、……、１３０＿ｋ、１２０＿２にゲート信号が印加されると、奇数データライン１４０＿１、……、１４０＿５または、偶数データライン１５０＿１、……、１５０＿５から出力されるデータ信号が該当する行の奇数列のピクセルまたは、偶数列のピクセルに選択的に印加されることができる。一方、液晶表示装置は液晶表示パネル１００にデータ信号と共通電圧を供給することにおいて、液晶表示パネル１００に正の極性を有するデータ信号を供給する時、相対的に低い共通電圧ＶＣＯＭ＿Ｌを供給し、負の極性を有するデータ信号を供給する時、相対的に高い共通電圧ＶＣＯＭ＿Ｈを供給することができる。例えば、第１フレーム１Ｆの間に奇数データライン１４０＿１、……、１４０＿５に正の極性を有するデータ信号が供給される時、奇数データライン１４０＿１、……、１４０＿５に連結されたピクセルの共通電極には相対的に低い共通電圧ＶＣＯＭ＿Ｌが供給されることができる。また、第１フレーム１Ｆの間に偶数データライン１５０＿１、……、１５０＿５に負の極性を有するデータ信号が供給される時、偶数データライン１５０＿１、……、１５０＿５に連結されたピクセルの共通電極には相対的に高い共通電圧ＶＣＯＭ＿Ｈが供給されることができる。同様に、第２フレーム２Ｆ間に奇数データライン１４０＿１、……、１４０＿５に負の極性を有するデータ信号が供給される時、奇数データライン１４０＿１、……、１４０＿５に連結されたピクセルの共通電極には相対的に高い共通電圧ＶＣＯＭ＿Ｈが供給されることができる。また、第２フレーム２Ｆ間に偶数データライン１５０＿１、……、１５０＿５に正の極性を有するデータ信号が供給される時、偶数データライン１５０＿１、……、１５０＿５に連結されたピクセルの共通電極には相対的に低い共通電圧ＶＣＯＭ＿Ｌが供給されることができる。その結果、ピクセル内部の液晶キャパシタＣＬＣには実質的に印加されるデータ信号より高い充電電圧が誘導されることができる。それと共に、液晶表示パネル１００に共通電圧が供給される方式は、フレーム周期で共通電圧を交流反転させてピクセルの充電電圧を引き上げるＡＬＳインバージョン方式と類似している。従って、液晶表示パネル１００においては印加されるデータ信号に比べて高い充電電圧を誘導することがあるため、従来のインバージョン方式、例えば、ドットインバージョン方式に比べて消費電力が小さいこともある。
【００６３】
図４は奇数フレームの間に図１の液晶表示パネル１００に供給されるデータ信号の極性を示す図面である。
【００６４】
図４を参照すれば、液晶表示装置は、奇数フレーム１Ｆの間に、液晶表示パネル１００のデータライン（ＤＬ１、……、ＤＬ８）にデータ信号を供給することにおいて、液晶表示パネル１００のデータライン（ＤＬ１、……、ＤＬ８）を奇数データライン１４０＿１、……、１４０＿５と偶数データライン１５０＿１、……、１５０＿５に区分して、これらに各々相反する極性のデータ信号を供給することができる。例えば、液晶表示装置は奇数フレーム１Ｆの間に奇数データライン１４０＿１、……、１４０＿５に正の極性を有するデータ信号を順次に供給することができ、偶数データライン１５０＿１、……、１５０＿５に負の極性を有するデータ信号を順次に供給することができる。ただ、後述のように、奇数フレーム１Ｆの間に供給されるデータ信号の極性は偶数フレーム２Ｆの間に供給されるデータ信号の極性とは相反する。しかし、液晶表示パネル１００上には、データライン（ＤＬ１、……、ＤＬ８）にデータ信号が印加される極性パターンとは他の極性パターンが表示されることができる。この時、データ信号が印加される極性パターンをドライバ極性パターン（ｄｒｉｖｅｒ  ｐｏｌａｒｉｔｙ  ｐａｔｔｅｒｎ）と定義し、データ信号が液晶表示パネル１００上に表示される極性パターンを見かけ極性パターン（ａｐｐａｒｅｎｔ  ｐｏｌａｒｉｔｙ）と定義することができる。後述のように、液晶表示パネル１００でドライバ極性パターンは、コラムインバージョン方式のドライバ極性パターンと類似していて、見かけ極性パターンは同じ行に配列される奇数列のピクセルと偶数列のピクセルにデータ信号が一水平周期の時差を置いて印加されるという点を除いてＡＬＳインバージョン方式の見かけ極性パターンまたはラインインバージョン方式の見かけ極性パターンと類似している。これに対しては図５〜図９を参照して下記通り説明する。
【００６５】
図５〜図９は、図１の液晶表示パネル１００で奇数フレームの間にピクセルにデータ信号が印加される過程を示す図面である。
【００６６】
図５を参照すれば、第１水平周期１Ｈで、第１サブゲートライン１２０＿１にピクセル内部の薄膜トランジスタをターンオンさせるためのゲート信号が印加されることができる。この時、第１サブゲートライン１２０＿１が第１行に配列されるピクセル１１０のうち奇数列のピクセルのみに連結されているため、第１行に配列されるピクセル１１０のうち奇数列のピクセルのみにデータ信号が印加されることができる。一方、第１行に配列されるピクセル１１０のうち奇数列のピクセルは偶数データライン１５０＿１、……、１５０＿５に連結されていて、奇数フレーム１Ｆの間には偶数データライン１５０＿１、……、１５０＿５に供給されるデータ信号の極性が負（−）であるため、第１水平周期１Ｈでは第１行に配列されるピクセル１１０のうち奇数列のピクセルのみに負（−）の極性を有するデータ信号が印加されることができる。これと共に、第１水平周期１Ｈで隣接する行−ピクセルの間にはデータ信号が同時に印加されないため、水平クロストークが防止されることができる。
【００６７】
図６を参照すれば、第２水平周期２Ｈで、第１ゲートライン１３０＿１にピクセル内部の薄膜トランジスタをターンオンさせるためのゲート信号が印加されることができる。この時、第１ゲートライン１３０＿１が、第１行に配列されるピクセル１１０のうち偶数列のピクセルに連結されていて、第２行に配列されるピクセル１１０のうち奇数列のピクセルに連結されているため、第１行に配列されるピクセル１１０のうち偶数列のピクセルと第２行に配列されるピクセル１１０のうち奇数列のピクセルのみにデータ信号が印加されることができる。一方、第１行に配列されるピクセル１１０のうち偶数列のピクセルは偶数データライン１５０＿１、……、１５０＿５に連結されていて、奇数フレーム１Ｆの間には偶数データライン１５０＿１、……、１５０＿５に供給されるデータ信号の極性が負（−）であるため、第２水平周期２Ｈでは第１行に配列されるピクセル１１０のうち偶数列のピクセルに負（−）の極性を有するデータ信号が印加されることができる。反面、第２行に配列されるピクセル１１０のうち奇数列のピクセルは奇数データライン１４０＿１、……、１４０＿５に連結されていて、奇数フレーム１Ｆの間には奇数データライン１４０＿１、……、１４０＿５に供給されるデータ信号の極性が正（＋）であるため、第２水平周期２Ｈでは第２行に配列されるピクセル１１０のうち奇数列のピクセルに正（＋）の極性を有するデータ信号が印加されることができる。これと共に、第２水平周期２Ｈで隣接する行−ピクセルの間には、データ信号が同時に印加されないため、水平クロストークが防止されることができるだけでなく、隣接する列−ピクセル即ち、第１行に配列されるピクセル１１０と第２行に配列されるピクセル１１０には反対極性のデータ信号が印加されるため垂直クロストークも防止することができる。
【００６８】
図７を参照すれば、第３水平周期３Ｈで第２ゲートライン１３０＿２にピクセル内部の薄膜トランジスタをターンオンさせるためのゲート信号が印加されることができる。この時、第２ゲートライン１３０＿２が第２行に配列されるピクセル１１０のうち偶数列のピクセルに連結されていて、第３行に配列されるピクセル１１０のうち奇数列のピクセルに連結されているため、第２行に配列されるピクセル１１０のうち偶数列のピクセルと第３行に配列されるピクセル１１０のうち奇数列のピクセルのみにデータ信号が印加されることができる。一方、第２行に配列されるピクセル１１０のうち偶数列のピクセルは奇数データライン１４０＿１、……、１４０＿５に連結されていて、奇数フレーム１Ｆの間には奇数データライン１４０＿１、……、１４０＿５に供給されるデータ信号の極性が正（＋）であるため、第３水平周期３Ｈでは第２行に配列されるピクセル１１０のうち偶数列のピクセルに正（＋）の極性を有するデータ信号が印加されることができる。反面、第３行に配列されるピクセル１１０のうち奇数列のピクセルは、偶数データライン１５０＿１、……、１５０＿５に連結されていて、奇数フレーム１Ｆの間には偶数データライン１５０＿１、……、１５０＿５に供給されるデータ信号の極性が負（−）であるため、第３水平周期３Ｈでは第３行に配列されるピクセル１１０のうち奇数列のピクセルに負（−）の極性を有するデータ信号が印加されることができる。これと共に、第３水平周期３Ｈで隣接する行−ピクセルの間にはデータ信号が同時に印加されないため水平クロストークが防止されることができるだけでなく、隣接する列−ピクセル即ち、第２行に配列されるピクセル１１０と第３行に配列されるピクセル１１０には反対極性のデータ信号が印加されるため垂直クロストークも防止されることができる。
【００６９】
図８を参照すれば、第４水平周期４Ｈで第３ゲートライン１３０＿３にピクセル内部の薄膜トランジスタをターンオンさせるためのゲート信号が印加されることができる。この時、第３ゲートライン１３０＿３が第３行に配列されるピクセル１１０のうち偶数列のピクセルに連結されていて、第４行に配列されるピクセル１１０のうち奇数列のピクセルに連結されているため、第３行に配列されるピクセル１１０のうち偶数列のピクセルと第４行に配列されるピクセル１１０のうち奇数列のピクセルのみにデータ信号が印加されることができる。一方、第３行に配列されるピクセル１１０のうち偶数列のピクセルは偶数データライン１５０＿１、……、１５０＿５に連結されていて、奇数フレーム１Ｆの間には偶数データライン１５０＿１、……、１５０＿５に供給されるデータ信号の極性が負（−）であるため、第４水平周期４Ｈでは第３行に配列されるピクセル１１０のうち偶数列のピクセルに負（−）の極性を有するデータ信号が印加されることができる。反面、第４行に配列されるピクセル１１０のうち奇数列のピクセルは奇数データライン１４０＿１、……、１４０＿５に連結されていて、奇数フレーム１Ｆの間には奇数データライン１４０＿１、……、１４０＿５に供給されるデータ信号の極性が正（＋）であるため、第４水平周期４Ｈでは第４行に配列されるピクセル１１０のうち奇数列のピクセルに正（＋）の極性を有するデータ信号が印加されることができる。これと共に、第４水平周期４Ｈで隣接する行−ピクセルの間にはデータ信号が同時に印加されないため、水平クロストークが防止されることができるだけでなく、隣接する列−ピクセル即ち、第３行に配列されるピクセル１１０と第４行に配列されるピクセル１１０には反対極性のデータ信号が印加されるため垂直クロストークも防止されることができる。
【００７０】
図９を参照すれば、第５水平周期５Ｈで第４ゲートライン１３０＿４にピクセル内部の薄膜トランジスタをターンオンさせるためのゲート信号が印加されることができる。上述のように、第５水平周期５Ｈでは第４行に配列されるピクセル１１０のうち偶数列のピクセルに正（＋）の極性を有するデータ信号が印加されることができて、第５行に配列されるピクセル１１０のうち奇数列のピクセルに負（−）の極性を有するデータ信号が印加されることができる。これと共に、第５水平周期５Ｈで隣接する行−ピクセルの間にはデータ信号が同時に印加されないため、水平クロストークが防止されることができるだけでなく、隣接する列−ピクセル即ち、第４行に配列されるピクセル１１０と第５行に配列されるピクセル１１０には反対極性のデータ信号が印加されるため垂直クロストークも防止されることができる。このような過程が第２サブゲートライン１２０＿２にゲート信号が印加されて奇数フレーム１Ｆが終了する時まで反復されることができ、続く偶数フレーム２Ｆでデータ信号の極性が変更されることができる。図５〜図９に示したように、液晶表示パネル１００でドライバ極性パターンはコラムインバージョン方式のドライバ極性パターンと類似していて、見かけ極性パターンは同じ行に配列される奇数列のピクセルと偶数列のピクセルにデータ信号が一水平周期の時差を置いて印加されるという点を除いてＡＬＳインバージョン方式の見かけ極性パターンまたは、ラインインバージョン方式の見かけ極性パターンと類似している。
【００７１】
図１０は偶数フレームの間に図１の液晶表示パネル１００に供給されるデータ信号の極性を示す図面である。
【００７２】
図１０を参照すれば、液晶表示装置は偶数フレーム２Ｆの間に液晶表示パネル１００のデータラインＤＬ１、……、ＤＬ８にデータ信号を印加することにおいて、液晶表示パネル１００のデータラインＤＬ１、……、ＤＬ８を奇数データライン１４０＿１、……、１４０＿５と偶数データライン１５０＿１、……、１５０＿５とに区分し、これらに各々相反する極性のデータ信号を供給することができる。例えば、液晶表示装置は偶数フレーム２Ｆの間に奇数データライン１４０＿１、……、１４０＿５に負の極性を有するデータ信号を順次に供給することができ、偶数データライン１５０＿１、……、１５０＿５に正の極性を有するデータ信号を順次に供給することができる。即ち、偶数フレーム２Ｆの間に供給されるデータ信号の極性は奇数フレーム１Ｆの間に供給するデータ信号の極性とは相反する。上述のように、液晶表示パネル１００上に表示する極性パターンはデータラインＤＬ１、……、ＤＬ８にデータ信号が印加される極性パターンとは相異する。即ち、液晶表示パネル１００にドライバ極性パターンは、コラムインバージョン方式のドライバ極性パターンと類似していて、見かけ極性パターンは同じ行に配列される奇数列のピクセルと偶数列のピクセルにデータ信号が一水平周期の時差を置いて印加されるという点を除いてＡＬＳインバージョン方式の見かけ極性パターンまたは、ラインインバージョン方式の見かけ極性パターンと類似している。これに対しては次の図１１〜図１５を参照して説明する。
【００７３】
図１１〜図１５は図１の液晶表示パネル１００で偶数フレームの間にピクセルにデータ信号が印加される過程を示す図面である。
【００７４】
図１１を参照すれば、第１水平周期１Ｈで第１サブゲートライン１２０＿１にピクセル内部の薄膜トランジスタをターンオンさせるためのゲート信号が印加されることができる。この時、第１サブゲートライン１２０＿１が第１行に配列されるピクセル１１０のうち奇数列のピクセルのみに連結されているため、第１行に配列されるピクセル１１０のうち奇数列のピクセルのみにデータ信号が印加されることができる。一方、第１行に配列されるピクセル１１０のうち奇数列のピクセルは偶数データライン１５０＿１、……、１５０＿５に連結されていて、偶数フレーム２Ｆ間には偶数データライン１５０＿１、……、１５０＿５に供給されるデータ信号の極性が正（＋）であるため、第１水平周期１Ｈでは第１行に配列されるピクセル１１０のうち奇数列のピクセルのみに正（＋）の極性を有するデータ信号が印加されることができる。これと共に、第１水平周期１Ｈで隣接する行−ピクセルの間にはデータ信号が同時に印加されないため水平クロストークが防止されることができる。
【００７５】
図１２を参照すれば、第２水平周期２Ｈで第１ゲートライン１３０＿１にピクセル内部の薄膜トランジスタをターンオンさせるためのゲート信号が印加されることができる。この時、第１ゲートライン１３０＿１が第１行に配列されるピクセル１１０のうち偶数列のピクセルに連結されていて、第２行に配列されるピクセル１１０のうち奇数列のピクセルに連結されているため、第１行に配列されるピクセル１１０のうち偶数列のピクセルと第２行に配列されるピクセル１１０のうち奇数列のピクセルのみにデータ信号が印加されることができる。一方、第１行に配列されるピクセル１１０のうち偶数列のピクセルは偶数データライン１５０＿１、……、１５０＿５に連結されていて、偶数フレーム２Ｆの間には偶数データライン１５０＿１、……、１５０＿５に供給されるデータ信号の極性が正（＋）であるため、第２水平周期２Ｈでは第１行に配列されるピクセル１１０のうち偶数列のピクセルに正（＋）の極性を有するデータ信号が印加されることができる。反面、第２行に配列されるピクセル１１０のうち奇数列のピクセルは奇数データライン１４０＿１、……、１４０＿５に連結されていて、偶数フレーム２Ｆの間には奇数データライン１４０＿１、……、１４０＿５に供給されるデータ信号の極性が負（−）であるため、第２水平周期２Ｈでは第２行に配列されるピクセル１１０のうち奇数列のピクセルに負（−）の極性を有するデータ信号が印加されることができる。これと共に、第２水平周期２Ｈで隣接する行−ピクセルの間にはデータ信号が同時に印加されないため水平クロストークが防止されることができるだけでなく、隣接する列−ピクセル即ち、第１行に配列されるピクセル１１０と第２行に配列されるピクセル１１０には反対極性のデータ信号が印加されるので垂直クロストークも防止されることができる。
【００７６】
図１３を参照すれば、第３水平周期３Ｈで第２ゲートライン１３０＿２にピクセル内部の薄膜トランジスタをターンオンさせるためのゲート信号が印加されることができる。この時、第２ゲートライン１３０＿２が第２行に配列されるピクセル１１０のうち偶数列のピクセルに連結されていて、第３行に配列されるピクセル１１０のうち奇数列のピクセルに連結されているため、第２行に配列されるピクセル１１０のうち偶数列のピクセルと第３行に配列されるピクセル１１０のうち奇数列のピクセルのみにデータ信号が印加されることができる。一方、第２行に配列されるピクセル１１０のうち偶数列のピクセルは奇数データライン１４０＿１、……、１４０＿５に連結されていて、偶数フレーム２Ｆの間には奇数データライン１４０＿１、……、１４０＿５に供給されるデータ信号の極性が負（−）であるため、第３水平周期３Ｈでは第２行に配列されるピクセル１１０のうち偶数列のピクセルに負（−）の極性を有するデータ信号が印加されることができる。反面、第３行に配列されるピクセル１１０のうち奇数列のピクセルは偶数データライン１５０＿１、……、１５０＿５に連結されていて、偶数フレームの間には偶数データライン１５０＿１、……、１５０＿５に供給されるデータ信号の極性が正（＋）であるため、第３水平周期３Ｈでは第３行に配列されるピクセル１１０のうち奇数列のピクセルに正（＋）の極性を有するデータ信号が印加されることができる。これと共に、第３水平周期３Ｈで隣接する行−ピクセルの間にはデータ信号が同時に印加されないので水平クロストークが防止されることができるだけでなく、隣接する列−ピクセル即ち、第２行に配列されるピクセル１１０と第３行に配列されるピクセル１１０には反対極性のデータ信号が印加されるので垂直クロストークも防止されることができる。
【００７７】
図１４を参照すれば、第４水平周期４Ｈで第３ゲートライン１３０＿３にピクセル内部の薄膜トランジスタをターンオンさせるためのゲート信号が印加されることができる。この時、第３ゲートライン１３０＿３が第３行に配列されるピクセル１１０のうち偶数列のピクセルに連結されていて、第４行に配列されるピクセル１１０のうち奇数列のピクセルに連結されているため、第３行に配列されるピクセル１１０のうち偶数列のピクセルと第４行に配列されるピクセル１１０のうち奇数列のピクセルのみにデータ信号が印加されることができる。一方、第３行に配列されるピクセル１１０のうち偶数列のピクセルは偶数データライン１５０＿１、……、１５０＿５に連結されていて、偶数フレーム２Ｆの間には偶数データライン１５０＿１、……、１５０＿５に供給されるデータ信号の極性が正（＋）であるため、第４水平周期４Ｈでは第３行に配列されるピクセル１１０のうち偶数列のピクセルに正（＋）の極性を有するデータ信号が印加されることができる。反面、第４行に配列されるピクセル１１０のうち奇数列のピクセルは奇数データライン１４０＿１、……、１４０＿５に連結されていて、偶数フレーム２Ｆ間には奇数データライン１４０＿１、……、１４０＿５に供給されるデータ信号の極性が負（−）であるため、第４水平周期４Ｈでは第４行に配列されるピクセル１１０のうち奇数列のピクセルに負（−）の極性を有するデータ信号が印加されることができる。これと共に、第４水平周期４Ｈで隣接する行−ピクセルの間にはデータ信号が同時に印加されないので水平クロストークが防止されることができるだけでなく、隣接する列−ピクセル即ち、第３行に配列されるピクセル１１０と第４行に配列されるピクセル１１０には反対極性のデータ信号が印加されるので垂直クロストークも防止されることができる。
【００７８】
図１５を参照すれば、第５水平周期５Ｈで第４ゲートライン１３０＿４にピクセル内部の薄膜トランジスタをターンオンさせるためのゲート信号が印加されることができる。上述のように、第５水平周期５Ｈでは第４行に配列されるピクセル１１０のうち偶数列のピクセルに負（−）の極性を有するデータ信号が印加されることができ、第５行に配列されるピクセル１１０のうち奇数列のピクセルには正（＋）の極性を有するデータ信号が印加されることができる。これと共に、第５水平周期５Ｈで隣接する行−ピクセルの間にはデータ信号が同時に印加されないので水平クロストークが防止されることができるだけでなく、隣接する列−ピクセル即ち、第４行に配列されるピクセル１１０と第５行に配列されるピクセル１１０には反対極性のデータ信号が印加されるので垂直クロストークも防止されることができる。このような過程が第２サブゲートライン１２０＿２にゲート信号が印加されて偶数フレーム２Ｆが終了する時まで反復されることができ、続く奇数フレーム１Ｆでデータ信号の極性が変更されることができる。図１１〜図１５に示したように、液晶表示パネル１００でドライバ極性パターンはコラムインバージョン方式のドライバ極性パターンと類似していて、見かけ極性パターンは同じ行に配列される奇数列のピクセルと偶数列のピクセルにデータ信号が一水平周期の時差を置いて印加されるという点を除いてＡＬＳインバージョン方式の見かけ極性パターンまたは、ラインインバージョン方式の見かけ極性パターンと類似している。
【００７９】
図１６は本発明の他の実施形態に係る液晶表示パネル５００を示す図面である。
【００８０】
図１６を参照すれば、液晶表示パネル５００は、複数のピクセル５１０、第１サブゲートライン５２０＿１、第２サブゲートライン５２０＿２、ゲートライン５３０＿１、……、５３０＿ｋ、奇数データライン５４０＿１、……、５４０＿５及び偶数データライン５５０＿１、……、５５０＿５を含むことができる。例示的な実施形態によると、液晶表示パネル５００は電荷共有制御回路５６０をさらに含むことができる。
【００８１】
液晶表示パネル５００において、ピクセル５１０は第１サブゲートライン５２０＿１、第２サブゲートライン５２０＿２及びゲートライン５３０＿１、……、５３０＿ｋ並びに奇数データライン５４０＿１、……、５４０＿５及び偶数データライン５５０＿１、……、５５０＿５が交差する位置にマトリックス形態で配列されることができる。ピクセル５１０は内部のスイッチング素子（即ち、薄膜トランジスタ）のゲート電極を通じて第１サブゲートライン５２０＿１、第２サブゲートライン５２０＿２及びゲートライン５３０＿１、……、５３０＿ｋに連結されることができ、前記薄膜トランジスタのソース電極を通じて奇数データライン５４０＿１、……、５４０＿５及び偶数データライン５５０＿１、……、５５０＿５に連結されることができる。例えば、ピクセル５１０は薄膜トランジスタのゲート電極を通じて第１サブゲートライン５２０＿１、第２サブゲートライン５２０＿２及びゲートライン５３０＿１、……、５３０＿ｋから出力されるゲート信号（即ち、スキャンパルス）の入力を受けることができる。また、ピクセル５１０は前記薄膜トランジスタのソース電極を通じて奇数データライン５４０＿１、……、５４０＿５及び偶数データライン５５０＿１、……、５５０＿５から出力されるデータ信号の入力を受けることができる。
【００８２】
液晶表示パネル５００では第１サブゲートライン５２０＿１及び第２サブゲートライン５２０＿２がゲートライン５３０＿１、……、５３０＿ｋの外郭に位置することができる。例えば、第１サブゲートライン５２０＿１は、下側の第１行−ピクセルと連結されることができ、第２サブゲートライン５２０＿２は、上側の第２行−ピクセルと連結されることができる。一方、ゲートライン５３０＿１、……、５３０＿ｋは、第１サブゲートライン５２０＿１と第２サブゲートライン５２０＿２との間に位置して、各々上側の第２行−ピクセルと下側の第１行−ピクセルとジグザグ形態で連結されることができる。例示的な実施形態において、前記第１行−ピクセルは一つの行に配列されるピクセル５１０のうち偶数列のピクセル５１０に対応し、前記第２行−ピクセルは一つの行に配列されるピクセル５１０のうち奇数列のピクセル５１０に対応することができる。即ち、第１サブゲートライン５２０＿１は、上部の最外郭に位置するピクセル５１０のうち偶数列のピクセル５１０に連結されることができ、第２サブゲートライン５２０＿２は、下部の最外郭に位置するピクセル５１０のうち奇数列のピクセル５１０に連結されることができる。ゲートライン５３０＿１、……、５３０＿ｋは、各々上側の行−ピクセルのうち奇数列のピクセル５１０と連結され、下側の行−ピクセルのうち偶数列のピクセル５１０と連結されることができる。
【００８３】
また、液晶表示パネル５００において、奇数データライン５４０＿１、……、５４０＿５に連結されるピクセル５１０と偶数データライン５５０＿１、……、５５０＿５に連結されるピクセル５１０が互いに相異することができる。例えば、奇数データライン５４０＿１、……、５４０＿５は、第２列−ピクセルと連結されることができ、偶数データライン５５０＿１、……、５５０＿５は、第１列−ピクセルと連結されることができる。例示的な実施形態において、前記第１列−ピクセルは一つの列に配列されるピクセル５１０のうち奇数行のピクセル５１０に対応し、前記第２列−ピクセルは一つの列に配列されるピクセル５１０のうち奇数行のピクセル５１０に対応ことができる。他の実施形態によると、前記第１列−ピクセルは一つの列に配列されるピクセル５１０のうち奇数行のピクセル５１０に対応し、前記第２列−ピクセルは一つの列に配列されるピクセル５１０のうち奇数行のピクセル５１０に対応することができる。ただし、図１６では奇数データライン５４０＿１、……、５４０＿５が、一つの列に配列されるピクセル５１０のうち奇数行のピクセル５１０に連結され、偶数データライン５５０＿１、……、５５０＿５が一つの列に配列されるピクセル５１０のうち奇数行のピクセル５１０に連結される実施形態が示されている。
【００８４】
上述のように、液晶表示パネル５００は、ピクセル５１０が薄膜トランジスタのゲート電極を通じて第１サブゲートライン５２０＿１、第２サブゲートライン５２０＿２及びゲートライン５３０＿１、……、５３０＿ｋと連結され、薄膜トランジスタのソース電極を通じて奇数データライン５４０＿１、……、５４０＿５及び偶数データライン５５０＿１、……、５５０＿５に連結されるということにおいて、一つのフレームの間に奇数データライン５４０＿１、……、５４０＿５に第１極性のデータ信号が供給され、偶数データライン５５０＿１、……、５５０＿５に前記第１極性と反対になる第２極性のデータ信号が供給される場合に、一つの行に配列される隣接するピクセル（即ち、隣接する行−ピクセル）に同じ極性のデータ信号が一水平周期の時差を置いて印加され、一つの列に配列される隣接してピクセル（即ち、隣接する列−ピクセル）に反対極性のデータ信号が印加されるようにする特異な構造を有することができる。この時、液晶表示パネル５００は前記特異な構造に基づいて動作するということにおいて、実質的にコラムインバージョン方式と類似の方式でデータ信号を供給されることができる。例えば、液晶表示パネル１００は、奇数フレームの間に奇数データライン５４０＿１、……、５４０＿５に第１極性のデータ信号を供給し、偶数データライン５５０＿１、……、５５０＿５に第２極性のデータ信号を供給する反面、偶数フレームの間には奇数データライン５４０＿１、……、５４０＿５に第２極性のデータ信号を供給し、偶数データライン５５０＿１、……、５５０＿５には第１極性のデータ信号を供給することができる。
【００８５】
また、液晶表示パネル５００は奇数データライン５４０＿１、……、５４０＿５の間に互いに電荷を共有させ、偶数データライン５５０＿１、……、５５０＿５の間に互いに電荷を共有させる電荷共有制御回路５６０をさらに含むことができる。例示的な実施形態において、電荷共有制御回路５６０は電荷共有制御信号ＣＳＣに基づいて奇数データライン５４０＿１、……、５４０＿５を互いに結びつける第１スイッチＯＳＴ及び電荷共有制御信号ＣＳＣに基づいて偶数データライン５５０＿１、……、５５０＿５を互いに結びつける第２スイッチＥＳＴを含むことができる。この時、電荷共有制御信号ＣＳＣはプリチャージシェアリング信号であることができる。例示的な実施形態によると、第１スイッチＯＳＲ及び第２スイッチＥＳＴは第１サブゲートライン５２０＿１、第２サブゲートライン５２０＿２及びゲートライン５３０＿１、……、５３０＿ｋ別にピクセル５１０が充電される以前にターンオンされたり、または、前記ピクセル５１０が充電された以後にターンオンされたりすることによって、奇数データライン５４０＿１、……、５４０＿５の間に互いに電荷が共有され、偶数データライン５５０＿１、……、５５０＿５の間に互いに電荷が共有されるようにすることができる。これと共に、液晶表示パネル５００は電荷共有制御回路５６０を含むことによって変化が激しいパターンに対しても消費電力を減少させることができ、ピクセル１１０の充電特性を向上させて全般的な性能を向上させることができる。上述において、電荷共有制御回路５６０が液晶表示パネル５００に備わることと説明したが、電荷共有制御回路５６０は要求される条件により集積回路の内部に実装されることもできる。
【００８６】
図１７は本発明の実施形態に係る液晶表示パネルを備える液晶表示装置を示すブロック図である。
【００８７】
図１７を参照すれば、液晶表示装置１０００は、液晶表示パネル１００、ソースドライバ２００、ゲートドライバ３００及びタイミングコントローラ４００を含むことができる。図１７には図示していないが、液晶表示装置１０００はソースドライバ２００に連結されて階調電圧を生成する階調電圧ジェネレータを追加的に含むことができる。
【００８８】
液晶表示パネル１００はソースドライバ２００から出力されるデータ信号及びゲートドライバ３００から出力されるゲート信号（即ち、スキャンパルス）に基づいて画像を表示することができる。液晶表示パネル１００はマトリックス形態で配列された複数のピクセルを含むが、一つの行に配列されるピクセルが奇数列のピクセルと偶数列のピクセルに区分されて、一つの列に配列されるピクセルは奇数行のピクセルと偶数行のピクセルに区分される。液晶表示パネル１００では行方向に同じ極性のデータ信号が奇数列のピクセルと偶数列のピクセルに一水平周期の時差を置いて印加されることができ、列方向には反対極性のデータ信号が同じ列のピクセルに一水平周期の時差を置いて順次に印加されることができる。このため、液晶表示パネル１００はマトリックス形態で配列されるピクセル、前記ピクセルのうち隣接する下側の第１行−ピクセルと連結される第１サブゲートライン、前記ピクセルのうち隣接する上側の第２行−ピクセルと連結される第２サブゲートライン、前記第１サブゲートラインと前記第２サブゲートラインの間に位置し、前記ピクセルのうち各々隣接する上側の第２行−ピクセルと下側の第１行−ピクセルとジグザグ形態に連結されるゲートライン、前記ピクセルのうち隣接する第１列−ピクセルと連結される偶数データライン、そして前記ピクセルのうち隣接する第２列−ピクセルと連結される奇数データラインを含むことができる。また、液晶表示パネル１００は奇数データラインの間に互いに電荷を共有させ、偶数データラインの間に互いに電荷を共有させる電荷共有制御回路をさらに含むことができる。上述のように、前記第１行−ピクセルは一つの行に配列されるピクセルのうち奇数列のピクセルに対応でき、前記第２行−ピクセルは一つの行に配列されるピクセルのうち偶数列のピクセルに対応したり、または、前記第１行−ピクセルが一つの行に配列されるピクセルのうち偶数列のピクセルに対応したりでき、前記第２行−ピクセルが一つの行に配列されるピクセルのうち奇数列のピクセルに対応することができる。さらに、前記第１列−ピクセルは一つの列に配列されるピクセルのうち奇数行のピクセルに対応でき、前記第２列−ピクセルは一つの列に配列されるピクセルのうち偶数行のピクセルに対応したり、または、前記第１列−ピクセルが一つの列に配列されるピクセルのうち偶数行のピクセルに対応したりでき、前記第２列−ピクセルが一つの列に配列されるピクセルのうち奇数行のピクセルに対応することができる。ただし、これに対しては上述したので、重複する説明は省略することにする。
【００８９】
ソースドライバ２００はタイミングコントローラ４００から出力されるデータ制御信号ＤＣＳに基づいて画像に対応するデータ信号をデータラインＤＬ１、……、ＤＬｍに印加することができる。この時、データ信号は階調電圧ジェネレータから生成される階調電圧を各々選択する方式で生成されることができる。この時、前記階調電圧ジェネレータは共通電圧に対して反対の極性を有する階調電圧の組を生成することができて、ソースドライバ２００は階調電圧の組のうち一つを選択する方式でデータ信号の極性を決めることができる。その結果、データ信号は共通電圧を基準として正の極性または、共通電圧を基準として負の極性を有することができる。例示的な実施形態において、データ制御信号ＤＣＳはデータ信号の極性を両極性または、負の極性で制御するための極性制御信号を含むことができる。これに、液晶表示装置１０００は極性制御信号に基づいてデータラインＤＬ１、……、ＤＬｍに供給されるデータ信号の極性を一定単位ごとに反転させることができる。例えば、液晶表示装置１０００は一つのフレームで偶数データラインに第１極性のデータ信号を印加して、奇数データラインに前記第１極性と反対の第２極性のデータ信号を印加する。この時、液晶表示装置１０００は液晶表示パネル１００に印加されるデータ信号の極性をフレームが変更される時ごとに変更することができる。ゲートドライバ３００はタイミングコントローラ４００から出力されるゲート制御信号ＧＣＳに基づいて液晶表示パネル１００のゲートラインＧＬ１、……、ＧＬｎに順次にシフト（ｓｈｉｆｔ）するゲート信号（即ち、スキャンパルス）を印加することができる。タイミングコントローラ４００は駆動タイミングを制御するためのゲート制御信号ＧＣＳ及びデータ制御信号ＤＣＳを生成することができる。例示的な実施形態において、タイミングコントローラ４００は外部のグラフィックコントローラ（図示せず）からＲＧＢ画像信号（Ｒ、Ｇ、Ｂ）、水平同期信号Ｈ、垂直同期信号Ｖ、メインクロックＣＬＫ及びデータイネイブル信号ＤＥＳ等の信号の入力を受け、このような信号に基づいてゲート制御信号ＧＣＳ及びデータ制御信号ＤＣＳを生成することができる。例えば、ゲート制御信号ＧＣＳはゲート信号の出力開始を制御する垂直同期開始信号、ゲート信号の出力時期を制御するゲートクロック信号及びゲート信号の持続時間を制御する出力イネイブル信号などを含むことができ、データ制御信号ＤＣＳはデータ信号の入力開始を制御する水平同期開始信号、データラインＤＬ１、……、ＤＬｍにデータ信号を印加するというロード信号及びソースドライバ２００で液晶表示パネル１００から出力されるデータ信号の極性を一定単位で反転させる極性制御信号などを含むことができる。図１８は図１７の液晶表示装置を駆動する方法を示すフローチャートである。
【００９０】
図１８を参照すれば、液晶表示装置１０００は複数の水平周期からなったフレーム単位で画像を表示することができる。このために、液晶表示装置１０００の駆動方法において、行方向に同じ極性のデータ信号を奇数列のピクセルと偶数列のピクセルに一水平周期の時差を置いて印加（ステップＳ１２０）しながら、列方向には反対極性のデータ信号を同じ列に配列するピクセルに一水平周期の時差を置いて順次に印加（ステップＳ１４０）しながら、フレームが変更される時ごとに液晶表示パネル１００に供給されるデータ信号の極性を変更（ステップＳ１６０）することができる。
【００９１】
例示的な実施形態に係る液晶表示装置１０００の駆動方法において、水平クロストーク及び垂直クロストークを防止しながらも消費電力を効率的に減少させるために、行方向に同じ極性のデータ信号を奇数列のピクセルと偶数列のピクセルに一水平周期の時差を置いて印加（ステップＳ１２０）しながら、列方向には反対極性のデータ信号を同じ列に配列されるピクセルに一水平周期の時差を置いて順次に印加（ステップＳ１４０）することができる。即ち、行方向に同じ極性のデータ信号が奇数列のピクセルと偶数列のピクセルに一水平周期の時差を置いて印加（ステップＳ１２０）するので、同じ行に配列される互いに隣接するピクセルに同じ極性のデータ信号が印加されても、これらの間には一水平周期の時差があるので水平クロストークが発生できない場合がある。例えば、第１水平周期で同じ行に配列されるピクセルのうち奇数列のピクセルに第１極性のデータ信号が同時に印加され、続く第２水平周期で同じ行に配列されるピクセルのうち偶数列のピクセルに第１極性のデータ信号が同時に印加されることができる。これと同時に、列方向には反対極性のデータ信号が同じ列に配列されるピクセルに一水平周期の時差を置いて順次に印加（ステップＳ１４０）されるので、同じ列に配列される互いに隣接するピクセルの間には反対極性のデータ信号が印加されて垂直クロストークが発生できない場合がある。例えば、第１水平周期で同じ列に配列されるピクセルのうち第１行のピクセルに第１極性のデータ信号が印加されると、続く第２水平周期では第２行のピクセルに第２極性のデータ信号が印加され、続く第３水平周期では第３行のピクセルに第１極性のデータ信号が印加され、続く第４水平周期では第４行のピクセルに第２極性のデータ信号が印加されることができる。
【００９２】
前記ステップＳ１２０、Ｓ１４０は、複数の水平周期からなったフレーム単位で遂行されるが、液晶表示装置１０００の駆動方法はフレームが変更される時ごとに液晶表示パネル１００に供給されるデータ信号の極性を変更（ステップＳ１６０）することができる。例えば、第１フレームで奇数データラインに印加されるデータ信号は第１極性を有することができ、偶数データラインに印加されるデータ信号は第２極性を有することができる。続く第２フレームでは奇数データラインに印加されるデータ信号は第２極性を有することができ、偶数データラインに印加されるデータ信号は第１極性を有することができる。続く第３フレームではまた奇数データラインに印加されるデータ信号が第１極性を有することができ、偶数データラインに印加されるデータ信号が第２極性を有することができる。この時、液晶表示パネル１００にはデータライン別に同じ極性のデータ信号が供給されるので、消費電力が効率的に減少することができる。これと共に、液晶表示装置１０００の駆動方法はドライバ極性パターンをコラムインバージョン方式のドライバ極性パターンと類似するように供給することができ、見かけ極性パターンを同じ行に配列される奇数列のピクセルと偶数列のピクセルにデータ信号が一水平周期の時差を置いて印加されるという点を除いてＡＬＳインバージョン方式の見かけ極性パターンまたは、ラインインバージョン方式の見かけ極性パターンと類似するように表示することができる。図１９は図１７の液晶表示装置を含む電子機器を示すブロック図である。
【００９３】
図１９を参照すれば、電子機器１１００は、液晶表示装置１０００、プロセッサ１０１０、メモリ装置１０２０、保存装置１０３０、入出力装置１０４０、及びパワーサプライ１０５０を含むことができる。電子機器１１００は、使用者が液晶表示装置１０００を通じて画像を見ることのできるテレビ、携帯電話、スマートフォンなどと同じ装置であることができる。さらに、電子機器１１００はビデオカード、サウンドカード、メモリカード、ＵＳＢ装置などと通信したり、または、他の電子機器と通信したりできる色々なポート（ｐｏｒｔ）をさらに含むことができる。
【００９４】
プロセッサ１０１０は特定計算または、タスク（ｔａｓｋ）を遂行することができる。例示的な実施形態によると、プロセッサ１０１０はマイクロプロセッサ（ｍｉｃｒｏ  ｐｒｏｃｅｓｓｏｒ）、中央処理装置（Ｃｅｎｔｒａｌ  Ｐｒｏｃｅｓｓｉｎｇ  Ｕｎｉｔ；ＣＰＵ）等であることができる。プロセッサ１０１０は、アドレスバス（ａｄｄｒｅｓｓ  ｂｕｓ）、制御バス（ｃｏｎｔｒｏｌ  ｂｕｓ）及びデータバス（ｄａｔａ  ｂｕｓ）等を介してメモリ装置１０２０、保存装置１０３０、及び入出力装置１０４０に連結されて通信を遂行することができる。例示的な実施形態において、プロセッサ１０１０は、ＰＣＩ（Ｐｅｒｉｐｈｅｒａｌ  Ｃｏｍｐｏｎｅｎｔ  Ｉｎｔｅｒｃｏｎｎｅｃｔ）バスのような拡張バスにも連結されることができる。メモリ装置１０２０は電子機器１１００の動作に必要なデータを保存することができる。例えば、メモリ装置１０２０は、動的ランダムアクセスメモリ（Ｄｙｎａｍｉｃ  Ｒａｎｄｏｍ  Ａｃｃｅｓｓ  Ｍｅｍｏｒｙ；ＤＲＡＭ）、静的ランダムアクセスメモリ（Ｓｔａｔｉｃ  Ｒａｎｄｏｍ  Ａｃｃｅｓｓ  Ｍｅｍｏｒｙ；ＳＲＡＭ）等と同じ揮発性メモリ装置及びＥＰＲＯＭ（Ｅｒａｓａｂｌｅ  Ｐｒｏｇｒａｍｍａｂｌｅ  Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）及びフラッシュメモリ装置（ｆｌａｓｈ  ｍｅｍｏｒｙ  ｄｅｖｉｃｅ）等のような非揮発性メモリ装置を含むことができる。保存装置１０３０はＳＳＤ（Ｓｏｌｉｄ  Ｓｔａｔｅ  Ｄｒｉｖｅ）、ＨＤＤ（Ｈａｒｄ  Ｄｉｓｋ  Ｄｒｉｖｅ）及びＣＤ−ＲＯＭ等を含むことができる。入出力装置１０４０は、キーボード、キーパッド、マウスなどのような入力手段及びプリンタなどのような出力手段を含むことができる。例示的な実施形態によると、液晶表示装置１０００は入出力装置１０４０内に備わることもできる。パワーサプライ１０５０は電子機器１１００の動作に必要な動作電圧を供給することができる。
【００９５】
液晶表示装置１０００は前記バスまたは他の通信リンクを通じてプロセッサ１０１０と連結して通信を遂行できる。上述のように、液晶表示装置１０００は液晶表示パネル１００、ソースドライバ２００、ゲートドライバ３００、及びタイミングコントローラ４００を含むことができる。この時、液晶表示パネル１００はソースドライバ２００から出力されるデータ信号及びゲートドライバ３００から出力されるゲート信号に基づいて画像を表示することにおいて、行方向で同じ極性のデータ信号が奇数列のピクセルと偶数列のピクセルに一水平周期の時差を置いて印加されるようにすることができ、列方向には反対極性のデータ信号が同じ列のピクセルに一水平周期の時差を置いて順次に印加されるようにすることができる。このため、液晶表示パネル１００はピクセル、第１サブゲートライン、第２サブゲートライン、ゲートライン、奇数データライン、偶数データライン、及び電荷共有制御回路を含むことができる。ただし、これに対しては、上述したため、重複する説明は省略することにする。例示的な実施形態によると、液晶表示装置１０００は、ＴＮ（Ｔｗｉｓｔｅｄ  Ｎｅｍａｓｔｉｃ）モード及びＶＡ（Ｖｅｒｔｉｃａｌ  Ａｌｉｇｎｍｅｎｔ）モード、ＩＰＳ（Ｉｎ  Ｐｌａｎｅ  Ｓｗｉｔｃｈｉｎｇ）モード、及びＦＦＳ（Ｆｒｉｎｇｅ  Ｆｉｅｌｄ  Ｓｗｉｔｃｈｉｎｇ）モードなどに適用することができる。
【００９６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【００９７】
本発明は液晶表示装置及びこれを含む電子機器に適用することができる。例えば、本発明はコンピュータモニタ、デジタルテレビ、ノートパソコン、デジタルカメラ、ビデオビデオカメラ、携帯電話、スマートフォン、ＰＤＡ（ｐｅｒｓｏｎａｌ  ｄｉｇｉｔａｌ  ａｓｓｉｓｔａｎｔｓ）、ＰＭＰ（ｐｏｒｔａｂｌｅ  ｍｕｌｔｉｍｅｄｉａ  ｐｌａｙｅｒ）、ＭＰ３プレーヤー、車両用ナビゲーション、ビデオフォンなどに適用することができる。
【符号の説明】
【００９８】
１００    液晶表示パネル
１１０    ピクセル
１２０＿１    第１サブゲートライン
１２０＿２    第２サブゲートライン
１３０    ゲートライン
１４０    奇数データライン
１５０    偶数データライン
１６０    電荷共有制御回路
【図１】
0005704976.tif 000002
【図２】
0005704976.tif 000003
【図３】
0005704976.tif 000004
【図４】
0005704976.tif 000005
【図５】
0005704976.tif 000006
【図６】
0005704976.tif 000007
【図７】
0005704976.tif 000008
【図８】
0005704976.tif 000009
【図９】
0005704976.tif 000010
【図１０】
0005704976.tif 000011
【図１１】
0005704976.tif 000012
【図１２】
0005704976.tif 000013
【図１３】
0005704976.tif 000014
【図１４】
0005704976.tif 000015
【図１５】
0005704976.tif 000016
【図１６】
0005704976.tif 000017
【図１７】
0005704976.tif 000018
【図１８】
0005704976.tif 000019
【図１９】
0005704976.tif 000020